(57)【要約】  滞在先ネットワークにおいて１グループ以上の閉鎖的アクセスポイント（１０４）への機器のローカルインターネットプロトコル（ＩＰ）アクセス（ＬＩＰＡ）を容易に制御する方法および装置が提供される。滞在先ネットワークに登録されている機器が滞在先ネットワーク（１１８）でＬＩＰＡを使用することを許されているかどうかを明示する指標がホームネットワークにより供給される。許されている場合には、滞在先ネットワーク（５０４）の一台以上のコンポーネントがＬＩＰＡサービスを機器に提供する。このサービスには機器のアクセス用ＩＰフローを確立することが含まれている。【選択図】図５
2013521746.tif 000002
【特許請求の範囲】
【請求項１】
滞在先ネットワークで通信をしている機器にローカルインターネットプロトコル（ＩＰ）アクセス（ＬＩＰＡ）情報を供給する方法において、
前記滞在先ネットワークに機器を登録することに関する指標を前記滞在先ネットワークから受信することと、
前記滞在先ネットワークでＬＩＰＡを使用することを前記機器が許されているかどうかを明示するＬＩＰＡインジケータと一緒に１個以上のパラメータを前記指標に応じて送信することと
から成る方法。
【請求項２】
前記指標の前記受信が、モビリティ管理エンティティ、サービスをしている一般パケット無線サービスサポートノード、移動通信交換局、滞在者所在レジスタの一つから前記指標を受信することから成る請求項１の前記方法。
【請求項３】
前記指標の前記受信が更新所在要求を受信することから成る請求項１の前記方法。
【請求項４】
前記１個以上のパラメータが前記機器の申し込み情報に関連している請求項１の前記方法。
【請求項５】
前記１個以上のパラメータを送信することが更新所在肯定応答または挿入加入者データの一部である請求項４の前記方法。
【請求項６】
滞在先ネットワークで通信をしている機器にローカルインターネットプロトコル（ＩＰ）アクセス（ＬＩＰＡ）情報を供給する装置において、
滞在先ネットワークに機器を登録することに関する指標を前記滞在先ネットワークから受信したり、
前記滞在先ネットワークでＬＩＰＡを使用することを前記機器が許されているかどうかを明示するＬＩＰＡインジケータと一緒に１個以上のパラメータを前記指標に応じて送信したりする
ように構成されている少なくとも一台のプロセッサと、
前記少なくとも一台のプロセッサに接続されているメモリとを具備している装置。
【請求項７】
前記少なくとも一台のプロセッサが、モビリティ管理エンティティ、サービスをしている一般パケット無線サービスサポートノード、移動通信交換局、滞在者所在レジスタの一つから前記指標を受信する請求項６の前記装置。
【請求項８】
前記指標が更新所在要求から成る請求項６の前記装置。
【請求項９】
前記１個以上のパラメータが前記機器の申し込み情報に関連している請求項６の前記方法。
【請求項１０】
前記少なくとも一台のプロセッサが更新所在肯定応答または挿入加入者データの一部として前記１個以上のパラメータを送信する請求項９の前記装置。
【請求項１１】
滞在先ネットワークで通信をしている機器にローカルインターネットプロトコル（ＩＰ）アクセス（ＬＩＰＡ）情報を供給する装置において、
滞在先ネットワークに機器を登録することに関する指標を前記滞在先ネットワークから受信する手段と、
前記滞在先ネットワークでＬＩＰＡを使用することを前記機器が許されているかどうかを明示するＬＩＰＡインジケータと一緒に１個以上のパラメータを前記指標に応じて送信する手段と
を具備する装置。
【請求項１２】
前記受信する手段が、モビリティ管理エンティティ、サービスをしている一般パケット無線サービスサポートノード、移動通信交換局、滞在者所在レジスタの一つから前記指標を受信する請求項１１の前記装置。
【請求項１３】
前記指標が更新所在要求から成る請求項１１の前記装置。
【請求項１４】
前記１個以上のパラメータが前記機器の申し込み情報に関連している請求項１１の前記装置。
【請求項１５】
前記送信する手段が、更新所在肯定応答または挿入加入者データの一部として前記１個以上のパラメータを送信する請求項１４の前記装置。
【請求項１６】
滞在先ネットワークで通信をしている機器にローカルインターネットプロトコル（ＩＰ）アクセス（ＬＩＰＡ）情報を供給するコンピュータプログラム製品において、
滞在先ネットワークに機器を登録することに関する指標を少なくとも一台のコンピュータに前記滞在先ネットワークから受信させるコードと、
前記滞在先ネットワークでＬＩＰＡを使用することを機器が許されているかどうかを明示するＬＩＰＡインジケータと一緒に１個以上のパラメータを前記少なくとも１台のコンピュータに前記指標に応じて送信させるコードと
を具備するコンピュータ可読媒体から成るコンピュータプログラム製品。
【請求項１７】
前記少なくとも一台のコンピュータに受信させる前記コードが、モビリティ管理エンティティ、サービスをしている一般パケット無線サービスサポートノード、移動通信交換局、滞在者所在レジスタの一つから前記指標を受信する請求項１６の前記コンピュータプログラム製品。
【請求項１８】
前記指標が更新所在要求から成る請求項１６の前記コンピュータプログラム製品。
【請求項１９】
前記１個以上のパラメータが前記機器の申し込み情報に関連している請求項１６の前記コンピュータプログラム製品。
【請求項２０】
前記少なくとも一台のコンピュータに送信させる前記コードが更新所在肯定応答または挿入加入者データの一部として前記１個以上のパラメータを送信する請求項１９の前記コンピュータプログラム製品。
【請求項２１】
滞在先ネットワークで通信をしている機器にローカルインターネットプロトコル（ＩＰ）アクセス（ＬＩＰＡ）情報を供給する装置において、
滞在先ネットワークに機器を登録することに関する指標を前記滞在先ネットワークから受信する滞在先ネットワーク登録コンポーネントと、
前記滞在先ネットワークでＬＩＰＡを使用することを前記機器が許されているかどうかを明示するＬＩＰＡインジケータと一緒に１個以上のパラメータを前記指標に応じて送信するＬＩＰＡ指示コンポーネントと
を具備する装置。
【請求項２２】
前記滞在先ネットワーク登録コンポーネントが、モビリティ管理エンティティ、サービスをしている一般パケット無線サービスサポートノード、移動通信交換局、滞在者所在レジスタの一つから前記指標を受信する請求項２１の前記装置。
【請求項２３】
前記指標が更新所在要求から成る請求項２１の前記装置。
【請求項２４】
前記１個以上のパラメータが前記機器の申し込み情報に関連している請求項２１の前記方法。
【請求項２５】
前記ＬＩＰＡ指示コンポーネントが更新所在肯定応答または挿入加入者データの一部として前記１個以上のパラメータを送信する請求項２４の前記装置。
【請求項２６】
滞在先ネットワークで通信をしている機器のためにローカルインターネットプロトコル（ＩＰ）アクセス（ＬＩＰＡ）情報を取得する方法において、
滞在先ネットワークでＬＩＰＡを使用することを機器が許されているのかどうかを明示するＬＩＰＡインジケータと一緒に申し込み情報を前記機器のために受信することと、
前記ＬＩＰＡインジケータに少なくとも部分的に基づいてＬＩＰＡサービスを前記機器に提供するかどうかを決定することと
から成る方法。
【請求項２７】
前記機器の前記申し込み情報に関する要求を送信することからさらに成る請求項２６の前記方法。
【請求項２８】
前記要求の前記送信は、前記機器に関連しているホーム加入者サーバに前記申し込み情報の前記要求を送信することから成る請求項２７の前記方法。
【請求項２９】
前記機器から登録要求を受信することからさらに成っていて、前記申し込み情報に関する前記要求の前記送信が前記登録要求の前記受信に対する応答である請求項２７の前記方法。
【請求項３０】
前記登録要求の前記受信は、接続要求、登録要求、トラッキング領域更新要求、所在領域更新要求、ルーティング領域更新要求の少なくとも一つを受信することから成る請求項２９の前記方法。
【請求項３１】
ＬＩＰＡサービスを前記機器に提供することからさらに成っていて、前記滞在先ネットワークでＬＩＰＡを使用することを前記機器が許されていることを前記ＬＩＰＡインジケータが明示する請求項２６の前記方法。
【請求項３２】
ＬＩＰＡサービスの要求を前記機器から受信することからさらに成る請求項３１の前記方法。
【請求項３３】
前記機器に対するＬＩＰＡサービスの前記提供が、前記要求に応じて前記機器が通信をするアクセスポイントでＬＩＰＡのＩＰフローを確立することから成る請求項３２の前記方法。
【請求項３４】
滞在先ネットワークで通信をしている機器のためにローカルインターネットプロトコル（ＩＰ）アクセス（ＬＩＰＡ）情報を取得する装置において、
滞在先ネットワークでＬＩＰＡを使用することを機器が許されているのかどうかを明示するＬＩＰＡインジケータと一緒に申し込み情報を前記機器のために受信したり、
前記ＬＩＰＡインジケータに少なくとも部分的に基づいてＬＩＰＡサービスを前記機器に提供するかどうかを決定したりする
ように構成されている少なくとも一台のプロセッサと、
前記少なくとも一台のプロセッサに接続されているメモリとを具備している装置。
【請求項３５】
前記機器の前記申し込み情報に関する要求を送信するように前記少なくとも一台のプロセッサがさらに構成されている請求項３４の前記装置。
【請求項３６】
前記少なくとも一台のプロセッサが、前記機器に関連しているホーム加入者サーバに申し込み情報に関する前記要求を送信する請求項３５の前記装置。
【請求項３７】
前記機器から登録要求を受信するように前記少なくとも一台のプロセッサがさらに構成されていて、前記登録要求の前記受信に応じて前記申し込み情報に関する前記要求を前記少なくとも一台のプロセッサが送信する請求項３５の前記装置。
【請求項３８】
前記登録要求は、接続要求、登録要求、トラッキング領域更新要求、所在領域更新要求、ルーティング領域更新要求の少なくとも一つを受信することから成る請求項３７の前記装置。
【請求項３９】
前記少なくとも一台のプロセッサがＬＩＰＡサービスを前記機器に提供するようにさらに構成されていて、前記滞在先ネットワークでＬＩＰＡを使用することを前記機器が許されていることを前記ＬＩＰＡインジケータが明示する請求項３４の前記装置。
【請求項４０】
ＬＩＰＡサービスの要求を前記機器から受信するように前記少なくとも一台のプロセッサがさらに構成されている請求項３９の前記装置。
【請求項４１】
前記要求に少なくとも部分的に基づいて前記機器が通信をするアクセスポイントでＬＩＰＡのＩＰフローを確立することに少なくとも部分的に起因して前記少なくとも一台のプロセッサがＬＩＰＡサービスを前記機器に提供する請求項４０の前記装置。
【請求項４２】
滞在先ネットワークで通信をしている機器のためにローカルインターネットプロトコル（ＩＰ）アクセス（ＬＩＰＡ）情報を取得する装置において、
滞在先ネットワークでＬＩＰＡを使用することを機器が許されているのかどうかを明示するＬＩＰＡインジケータと一緒に申し込み情報を前記機器のために受信する手段と、
前記ＬＩＰＡインジケータに少なくとも部分的に基づいてＬＩＰＡサービスを前記機器に提供するかどうかを決定する手段と
を具備している装置。
【請求項４３】
前記受信する手段が、前記機器の前記申し込み情報に関する要求をさらに送信する請求項４２の前記装置。
【請求項４４】
前記受信する手段が、前記申し込み情報に関する前記要求を前記機器に関連しているホーム加入者サーバに送信する請求項４３の前記装置。
【請求項４５】
前記受信する手段が、前記機器から登録要求をさらに受信し、前記申し込み情報に関する前記要求を前記登録要求の受信に応じて送信する請求項４３の前記装置。
【請求項４６】
前記登録要求が、接続要求、登録要求、トラッキング領域更新要求、所在領域更新要求、ルーティング領域更新要求の少なくとも一つから成る請求項４５の前記装置。
【請求項４７】
ＬＩＰＡサービスを前記機器に提供する手段をさらに具備していて、前記滞在先ネットワークでＬＩＰＡを使用することを前記機器が許されていることをＬＩＰＡインジケータが明示する請求項４２の前記装置。
【請求項４８】
前記ＬＩＰＡサービスを提供する手段がＬＩＰＡサービスの要求を前記機器からさらに受信する請求項４７の前記装置。
【請求項４９】
前記ＬＩＰＡサービスを提供する手段が、前記要求に少なくとも部分的に基づいて前記機器が通信をするアクセスポイントにＬＩＰＡのＩＰフローをさらに確立する請求項４８の前記装置。
【請求項５０】
滞在先ネットワークで通信をしている機器のためにローカルインターネットプロトコル（ＩＰ）アクセス（ＬＩＰＡ）情報を取得するコンピュータプログラム製品において、
滞在先ネットワークでＬＩＰＡを使用することを機器が許されているのかどうかを明示するＬＩＰＡインジケータと一緒に申し込み情報を前記機器のために少なくとも一台のコンピュータに受信させるコードと、
前記ＬＩＰＡンジケータに少なくとも部分的に基づいてＬＩＰＡサービスを前記機器に提供するかどうかを前記少なくとも１台のコンピュータに決定させるコードと
を具備するコンピュータ可読媒体から成るコンピュータプログラム製品。
【請求項５１】
前記コンピュータ可読媒体が、前記機器の前記申し込み情報に関する要求を前記少なくとも一台のコンピュータに送信させるコードをさらに具備している請求項５０の前記コンピュータプログラム製品。
【請求項５２】
前記少なくとも一台のプロセッサに送信させる前記コードが前記機器に関連しているホーム加入者サーバに前記申し込み情報に関する要求を送信する請求項５１の前記コンピュータプログラム製品。
【請求項５３】
前記コンピュータ可読媒体が前記少なくとも一台のコンピュータに前記機器から登録要求を受信させるコードをさらに具備していて、前記少なくとも一台のコンピュータに前記登録要求を受信させる前記コードが前記登録要求を受信すると、前記少なくとも一台のコンピュータに送信させる前記コードが前記申し込み情報に関する前記要求を送信する請求項５１の前記コンピュータプログラム製品。
【請求項５４】
前記登録要求が、接続要求、登録要求、トラッキング領域更新要求、所在領域更新要求、ルーティング領域更新要求の少なくとも一つを受信することから成る請求項５３の前記コンピュータプログラム製品。
【請求項５５】
前記滞在先ネットワークでＬＩＰＡを使用することを前記機器が許されていることを前記ＬＩＰＡインジケータが明示している場合に、ＬＩＰＡサービスを前記機器に提供することを前記少なくとも一台のコンピュータに行わせるコードを前記コンピュータ可読媒体がさらに具備している請求項５０の前記コンピュータプログラム製品。
【請求項５６】
ＬＩＰＡサービスに関する要求を前記少なくとも一台のコンピュータに前記機器から受信させるコードを前記コンピュータ可読媒体がさらに具備している請求項５５の前記コンピュータプログラム製品。
【請求項５７】
前記少なくとも一台のコンピュータに前記ＬＩＰＡサービスを提供させるコードは前記要求に少なくとも部分的に基づいて前記機器が通信をするアクセスポイントにＬＩＰＡのＩＰフローを確立する請求項５６の前記装置。
【請求項５８】
滞在先ネットワークで通信をしている機器のためにローカルインターネットプロトコル（ＩＰ）アクセス（ＬＩＰＡ）情報を取得する装置において、
滞在先ネットワークでＬＩＰＡを使用することを機器が許されているのかどうかを明示するＬＩＰＡインジケータと一緒に申し込み情報を前記機器のために受信する機器登録コンポーネントと、
前記ＬＩＰＡインジケータに少なくとも部分的に基づいてＬＩＰＡサービスを前記機器に提供するかどうかを決定するＬＩＰＡ決定コンポーネントと
を具備している装置。
【請求項５９】
前記機器登録コンポーネントは、前記機器の前記申し込み情報に関する要求をさらに送信する請求項５８の前記装置。
【請求項６０】
前記機器登録コンポーネントが、前記申し込み情報に関する要求を前記機器に関連しているホーム加入者サーバに送信する請求項５９の前記装置。
【請求項６１】
前記機器登録コンポーネントは前記機器から登録要求をさらに受信し、前記機器登録コンポーネントは前記登録要求の受信に応じて前記申し込み情報に関する前記要求を送信する請求項５９の前記装置。
【請求項６２】
前記登録要求が、接続要求、登録要求、トラッキング領域更新要求、所在領域更新要求、ルーティング領域更新要求の少なくとも一つから成っている請求項６１の前記装置。
【請求項６３】
前記滞在先ネットワークでＬＩＰＡを使用することを前記機器が許されていることをＬＩＰＡインジケータが明示する場合にＬＩＰＡサービスを前記機器に提供するＬＩＰＡ処理コンポーネントをさらに具備している請求項５８の前記装置。
【請求項６４】
前記ＬＩＰＡサービス処理コンポーネントがＬＩＰＡサービスの要求を前記機器からさらに受信する請求項６３の前記装置。
【請求項６５】
前記ＬＩＰＡサービス処理コンポーネントは前記要求に少なくとも部分的に基づいて前記機器が通信をするアクセスポイントにＬＩＰＡのＩＰフローをさらに確立する請求項６４の前記装置。
【発明の詳細な説明】
【優先権の主張】
【０００１】
米国特許法第１１９条に基づく優先権の主張
本願は、２０１０年３月５日に出願されて本願の譲受人に譲渡されている「自律的滞在先公衆陸上移動ネットワーク（ＶＰＬＭＮ）閉鎖的加入者群（ＣＳＧ）ローミングを可能にする方法および装置（METHOD AND APPARATUS TO ENABLE AUTONOMOUS VISITED PUBLIC LAND MOBILE NETWORK (VPLMN) CLOSED SUBSCRIBER GROUP (CSG) ROAMING）」と言う名称の仮出願番号６１／３１１，２１５および２０１１年１月７日に出願されて本願の譲受人に譲渡されている「自律的閉鎖的加入者群（ＣＳＧ）ローミングやローカルインターネットプロトコルアクセス（ＬＩＰＡ）を可能にする方法および装置（METHOD AND APPARATUS TO ENABLE AUTONOMOUS CLOSED SUBSCRIBER GROUP (CSG) ROAMING AND/OR LOCAL INERNET PROTOCOL ACCESS (LIPA)）」と言う名称の仮出願番号６１／４３０，６７６の利益を主張する。両仮出願ともこの言及により全体的にここに明確に含まれる。
【技術分野】
【０００２】
以下の記述は、無線ネットワーク通信に概ね関連しているが、ローカルインターネットプロトコルアクセスを受けるノードとの通信に特に関連している。
【背景技術】
【０００３】
無線通信システムは、例えば、音声、データ、その他のような様々な種類の通信内容を提供するために広く展開されている。典型的な無線通信システムには、利用可能なシステムリソース（例えば、帯域幅、送信パワー（transmit power））を共有することによって多数のユーザとの通信をサポートすることのできる多元接続システム（multiple-access systems）がある。このような多元接続システムの例には、符号分割多元接続（ＣＤＭＡ：code division multiple access）システム、時分割多元接続（ＴＤＭＡ：time division multiple access）システム、周波数多重分割（ＦＤＭＡ：frequency division multiple access）システム、直交周波数分割多元接続（ＯＦＤＭＡ：orthogonal frequency division multiple access）システム、その他が含まれる。さらに、第三世代パートナーシッププロジェクト（３ＧＰＰ：third generation partnership project）、３ＧＰＰ長期的高度化（ＬＴＥ：Long Term Evolution）、ウルトラモバイルブロードバンド（ＵＭＢ：Ultra Mobile Broadband）、発展型データ通信最適化方式（ＥＶ−ＤＯ：Evolution-Data Optimized）、その他のような仕様書にシステムはしたがうことができる。
【０００４】
一般に、無線多元接続通信システム（wireless multiple-access communication systems）は多数の移動装置（multiple mobile devices）の通信を同時にサポートしている。個々の移動装置は、順方向および逆方向の両リンク（forward and reverse links）での送信により１台以上の基地局と通信をする。順方向リンク（または下りリンク（downlink））は基地局から移動装置に向かう通信リンクを言い、逆方向リンク（または上りリンク（uplink））は移動装置から基地局に向かう通信リンクを言う。さらに、移動装置と基地局との通信は、シングル入力シングル出力（ＳＩＳＯ：single-input single-output）システム、マルチ入力シングル出力（ＭＩＳＯ：multiple-input single-output）システム、マルチ入力マルチ出力（ＭＩＭＯ：multiple-input multiple-output）システムなどにより確立することができる。また、ピアツーピアの無線ネットワーク構成（peer-to-peer wireless network configurations）で移動装置は別の移動装置と（基地局は別の基地局と）通信をすることができる。
【０００５】
基地局を追加配備して従来の基地局を補えば強固な無線有効範囲を移動装置に提供することができる。例えば、無線中継局および低電力の基地局（例えば、アクセスポイント基地局、Ｈ（ｅ）ＮＢと一括して呼ばれるホームノードＢｓ（Home NodeBs）またはホームｅＮＢｓ（Home eNBS）、フェムトアクセスポイント（femto access points）、フェムトセル（femtocells）、ピコセル（picocells）、マイクロセル（microcells）、その他と一般に呼ばれる）が、徐々に増える容量の増大、ユーザの経験の増大、建物内を含む特定の地理的な有効範囲、その他のために配置される。幾つかの構成では、そのような低電力基地局がブロードバンド接続（デジタル加入者回線（ＤＳＬ：digital subscriber line）ルータ（router）、ケーブルまたは他のモデム（modem）、その他）によりモバイルオペレータネットワーク（mobile operator's network）やインターネットに接続される。幾つかのＨ（ｅ）ＮＢｓは、特定の機器への接続すなわちＣＳＧの一員である関連ユーザへの接続を制限する閉鎖的加入者群（ＣＳＧ）接続を提供する。ある機器のホームネットワークのホーム加入者サーバ（ＨＳＳ：Home Subscriber Server）またはホーム所在レジスタ（ＨＬＲ：Home Location Register）または１個以上の別のノードはＣＳＧ会員情報を格納することができる。
【０００６】
Ｈ（ｅ）ＮＢｓは様々なネットワークオペレータ（network operators）により有効に利用されるので、機器は滞在先ネットワークで１台以上のＨ（ｅ）ＮＢｓへの接続を試みることができ、Ｈ（ｅ）ＮＢｓで実際に給仕を受けることができる。この点に関して滞在先ネットワークの１台以上のノードは、滞在先ネットワークのＣＳＧで機器に給仕をするために機器のホームネットワークのＨＳＳ、ＨＬＲ、その他からＣＳＧ会員情報を要求して滞在先ネットワークのＣＳＧに機器がアクセスすることができるのかどうかを決めることができる。Ｈ（ｅ）ＮＢｓが広帯域接続を利用しているおかげでＨ（ｅ）ＮＢｓはインターネットプロトコルを用いてローカルネットワークまたは類似のネットワークにさらにアクセスすることができる。例えば、他の機器をインターネットにアクセスできるようにするルータをあるＨ（ｅ）ＮＢが使用（または提供）している場合には、前記の他の機器や当該Ｈ（ｅ）ＮＢは広帯域インターネット接続により供給されるローカルＩＰネットワークに参加することができるので、プリンタその他の出力装置や記憶装置などの種々のリソースにアクセスしたり諸々のサービスを提供したりすることができる。さらに幾つかの例ではＨ（ｅ）ＮＢと通信をしている一台以上の移動装置にローカルＩＰアクセス（ＬＩＰＡ：local IP access）をＨ（ｅ）ＮＢが提供するので一台以上の移動装置はＩＰネットワークのローカルリソースにアクセスすることができる。
【発明の概要】
【０００７】
様々な態様の基本的な理解が得られるように一種類以上の態様の概要を以下に簡単に述べる。以下に示す概要は、考えることのできる全ての態様に関する広範な概観でもなければ、全態様の鍵となる重要な要素を特定するものでもなく、全ての態様またはいずれかの態様の範囲を叙述するものでもない。この概要の主要な目的は、後に提示する詳細な説明の序幕として一種類以上の態様の観念を簡単な形態で提供することである。
【０００８】
一種類以上の実施例およびそれら諸実施例に対応する開示にしたがって滞在先ネットワーク内の限定的グループノード（restricted group nodes）への機器のアクセスをホームネットワーク、機器、その他で制御することとの関連で様々な態様を説明する。例えば機器のホームネットワークは、滞在先ネットワークのアクセスポイントの限定的グループにより提供されるローカルインターネットプロトコル（ＩＰ）アクセスＬＩＰＡ（local internet protocol (IP) access LIPA）の使用を機器に許可することに関連しているインジケータを指定する。例えば、滞在先ネットワークのネットワークノードはインジケータを用いてＬＩＰＡの使用を機器に許可するかどうかを決める。
【０００９】
ある例によれば、滞在先ネットワークで通信をしている機器のためにＬＩＰＡ情報を供給する方法が滞在先ネットワークに機器を登録することに関連している指標を滞在先ネットワークから受信することを含めて提供される。この方法には、滞在先ネットワークにおけるＬＩＰＡの使用を機器が許されているかどうかを明示するＬＩＰＡインジケータと一緒に１個以上のパラメータを指標に応じて送信することも含まれている。
【００１０】
別の態様では、滞在先ネットワークに機器を登録することに関連している指標を滞在先ネットワークから受信するように構成されている少なくとも１台のプロセッサを有していて滞在先ネットワークで通信をしている機器にＬＩＰＡ情報を提供する装置が提供される。少なくとも１台のプロセッサは、滞在先ネットワークにおけるＬＩＰＡの使用を機器が許されているかどうかを明示するＬＩＰＡインジケータと一緒に１個以上のパラメータを指標に応じて送信するようにさらに構成されている。その上に、少なくとも１台のプロセッサに連結されているメモリを装置は有している。
【００１１】
さらに別の態様では、滞在先ネットワークに機器を登録することに関連している指標を滞在先ネットワークから受信する手段を有していて滞在先ネットワークで通信をしている機器にＬＩＰＡ情報を提供する装置が提供される。この装置は、滞在先ネットワークにおけるＬＩＰＡの使用を機器が許されているかどうかを明示するＬＩＰＡインジケータと一緒に１個以上のパラメータを指標に応じて送信する手段も有している。
【００１２】
その上に別の態様では、滞在先ネットワークで通信をしている機器のためにＬＩＰＡ情報を提供するコンピュータプログラム製品が滞在先ネットワークに機器を登録することに関する指標を滞在先ネットワークから少なくとも１台のコンピュータに受信させるコードを有するコンピュータ可読媒体を含めて提供される。コンピュータ可読媒体には、滞在先ネットワークにおけるＬＩＰＡの使用を機器が許されているかどうかを明示するＬＩＰＡインジケータと一緒に１個以上のパラメータを少なくとも１台のコンピュータに指標に応じて送信させるコードがさらに含まれている。
【００１３】
さらにある態様では、滞在先ネットワークに機器を登録することに関連している指標を滞在先ネットワークから受信する滞在先ネットワーク登録コンポーネントを有していて滞在先ネットワークで通信をしている機器にＬＩＰＡ情報を供給する装置が提供される。この装置は、滞在先ネットワークにおけるＬＩＰＡの使用を機器が許されているかどうかを明示するＬＩＰＡインジケータと一緒に１個以上のパラメータを指標に応じて送信するＬＩＰＡ指示コンポーネントも有している。
【００１４】
別の例によれば、滞在先ネットワークにおけるＬＩＰＡの使用を機器が許されているかどうかを明示するＬＩＰＡンジケータと一緒に申し込み情報を機器のために受信することやＬＩＰＡインジケータに少なくとも部分的に基づいてＬＩＰＡサービスを提供するかどうかを決定することを備えていて滞在先ネットワークで通信をしている機器のためにＬＩＰＡ情報を取得する方法が提供される。
【００１５】
別の態様では、滞在先ネットワークにおけるＬＩＰＡの使用を機器が許されているかどうかを明示するＬＩＰＡインジケータと一緒に申し込み情報を機器のために受信するように構成されている少なくとも１台のプロセッサを有していて滞在先ネットワークで通信をしている機器のためにＬＩＰＡ情報を取得する装置が提供される。この少なくとも１台のプロセッサは、ＬＩＰＡインジケータに少なくとも部分的に基づいてＬＩＰＡサービスを機器に提供するかどうかを決定するようにさらに構成されている。その上に、少なくとも１台のプロセッサに連結されているメモリを装置は有している。
【００１６】
さらに別の態様では、滞在先ネットワークにおけるＬＩＰＡの使用を機器が許されているかどうかを明示するＬＩＰＡインジケータと一緒に申し込み情報を機器のために受信する手段を具備していて滞在先ネットワークで通信をしている機器のためにＬＩＰＡ情報を取得する装置が提供される。ＬＩＰＡインジケータに少なくとも部分的に基づいてＬＩＰＡサービスを機器に提供するかどうかを決定する手段をこの装置はさらに有している。
【００１７】
さらに、別の態様では、滞在先ネットワークにおけるＬＩＰＡの使用を機器が許されているかどうかを明示するＬＩＰＡインジケータと一緒に申し込み情報を少なくとも１台のコンピュータに機器のために受信させるコードを備えているコンピュータ可読媒体を含めて滞在先ネットワークで通信をしている機器のためにＬＩＰＡ情報を取得するコンピュータプログラム製品が提供される。コンピュータ可読媒体には、ＬＩＰＡンジケータに少なくとも部分的に基づいてＬＩＰＡサービスを機器に提供するかどうかを少なくとも１台のコンピュータに決定させるコードがさらに含まれている。
【００１８】
さらに、ある態様では、滞在先ネットワークにおけるＬＩＰＡの使用を機器が許されているかどうかを明示するＬＩＰＡインジケータと一緒に申し込み情報を機器のために受信する機器登録コンポーネントを具備していて滞在先ネットワークで通信をしている機器のためにＬＩＰＡ情報を取得する装置が提供される。ＬＩＰＡインジケータに少なくとも部分的に基づいてＬＩＰＡサービスを機器に提供するかどうかを決定するＬＩＰＡ決定コンポーネントをこの装置はさらに有している。
【００１９】
以下に詳述されていて特許請求の範囲に特に指摘されている諸要件を以上に述べた目的や関連した目的を達成するためにどの態様も具備している。以下の記述や添付図面には一種類以上の態様の特定の例示的諸特徴が詳しく示されている。しかし、これらの諸特徴は種々様々な態様の原理を採用する色々な方法の幾つかを示しているに過ぎず、以下の記述はそのような全ての態様とその均等物を含むことが意図されている。
【図面の簡単な説明】
【００２０】
類似した要素には類似した参照符号が付けてある添付図面を参照して様々な態様を以下に提示するが、以下の記述は開示する態様を説明するものであって開示した態様を制限するものではないことを予め断っておく。
【図１】図１は、滞在先ネットワークでローカルインターネットプロトコルアクセス（ＬＩＰＡ）を制御するシステムの態様の模式的なブロック図である。
【図２】図２は、滞在先ネットワークにおけるＬＩＰＡの機器による使用をホームネットワークのノードから制御する典型的なシステムの例である。
【図３】図３は、ここに記載する諸態様にしたがっている典型的な無線通信ネットワークの例である。
【図４】図４は、トラッキング領域更新手順を実行する態様のメッセージの流れ図である。
【図５】図５は、滞在先ネットワーク内で機器がＬＩＰＡを使用できるかどうかを明示する方法の一態様の流れ図である。
【図６】図６は、ＬＩＰＡサービスを機器に提供するかどうかを決定する方法の一態様の流れ図である。
【図７】図７は、ここに説明する様々な態様にしたがっている典型的な計算装置の例である。
【図８】図８は、滞在先ネットワーク内で機器がＬＩＰＡを使用できるかどうかを明示する典型的なシステムの例である。
【図９】図９は、ＬＩＰＡサービスを機器に提供するかどうかを決定する典型的なシステムの例である。
【図１０】図１０は、ここに説明する様々な態様にしたがっている典型的な無線通信システムの例である。
【図１１】図１１は、ここに説明する様々なシステムや方法を組み合わせて採用することのできる典型的な無線ネットワーク環境の例である。
【図１２】図１２は、ここに説明する諸態様を実現することができて複数台の機器をサポートするように構成されている無線通信システムの例である。
【図１３】図１３は、ネットワーク環境内のフェムトセルの配備を可能にする典型的な通信システムの例である。
【図１４】図１４は、幾つかの確定されているトラッキング領域を有する有効範囲図の例である。
【発明を実施するための形態】
【００２１】
添付図面を参照して様々な態様をこれから説明する。一種類以上の態様を完全に理解することができるように以下には説明の目的で特定の詳細が数多く記載されている。しかし、このような詳細がなくても諸態様を実施することができることは明らかである。
【００２２】
ここに詳述するように滞在先ネットワークの限定的グループノードへの機器のアクセスに関連する挙動が１個以上のインジケータの伝送および処理で決まる。例えば、滞在先ネットワークにおけるローカルインターネットプロトコル（ＩＰ）アクセス（ＬＩＰＡ）の使用を機器が許されているかどうかを明示するインジケータをある機器のホームネットワークのノードは滞在先ネットワークのノードに伝達する。滞在先ネットワークのノードは、関連している限定的グループノードを用いてＬＩＰＡノードと通信することを機器に許可するかどうかをこのインジケータを用いて決定する。この点に関してホームネットワークノードは、滞在先ネットワークでＬＩＰＡを用いる機器の能力を管理していることを示す。
【００２３】
さらに、本願に用いられている用語「コンポーネント（component）」、「モジュール（module）」、「システム（system）」、その他には、ハードウェア、ファームウェア、ハードウェアとソフトウェアの組み合わせ、ソフトウェア、実行中のソフトウェアに限定される訳ではないがこれらのようなコンピュータ関連エンティティが含まれることが意図されている。例えばコンポーネントは、プロセッサが実行しているプロセス、プロセッサ、オブジェクト、実行ファイル、実行スレッド、プログラム、コンピュータの全てまたはいずれかで有り得るがこれらに限定される訳ではない。実例として、計算装置が実行しているアプリケーションと計算装置はどちらもコンポーネントである。実行中のプロセスおよびスレッドの両者または一方の中に１個以上のコンポーネントが存在することができ、あるコンポーネントが一台のコンピュータに局在していたり二台以上のコンピュータに分散していたりすることができる。その上に、様々なデータ構造が格納されている様々なコンピュータ可読媒体からこれらのコンポーネントを実行することができる。どのコンポーネントも、例えば、インターネットのようなネットワークや局所システムや分散システムのコンポーネントと相互作用をしているあるコンポーネントからのデータのように１個以上のデータパケットを有するシグナルにしたがうような局所プロセスおよび遠隔プロセスの両者または一方によりシグナルを通じて別のシステムと通信をすることができる。
【００２４】
さらに、有線と無線のどちらの端末でも構わない端末との関連で様々な態様を以下に説明する。端末は、システム、機器、加入者ユニット（subscriber unit）、加入者局（subscriber station）、移動局、移動体、移動装置、遠隔局、間隔端末、アクセスターミナル（access terminal）、ユーザ端末、端末、通信装置、ユーザエージェント（user agent）、ユーザ装置、ユーザ機器（ＵＥ：user equipment）とも呼ばれている。無線端末は、小型携帯移動電話機（cellular telephone）、衛星電話（satellite phone）、コードレス電話（cordless telephone）、セッション開始プロトコル（ＳＩＰ）電話（Session Initiation Protocol (SIP) phone）、無線局所ループ（ＷＬＬ）局（wireless local loop (WLL) station）、パーソナルデジタルアシスタント（ＰＤＡ）（personal digital assistant (PDA)）、無線接続能力のある手持ち式装置、無線モデムに接続されている計算装置その他の処理装置のいずれでも構わない。さらに、基地局との関連で様々な態様がここに記載されている。基地局は、無線端末との通信に用いられ、アクセスポイント、ノードＢ、進化したノードＢ（ｅＮＢ）、その他の用語で呼ばれることがある。
【００２５】
用語「または(or)」は「排他的論理和（exclusive “or”）」ではなくて「包含的論理和（inclusive “or”）」を意味することが意図されている。すなわち、特段の記載がある場合や文脈から明らかな場合を除いて表現「ＸがＡまたはＢを用いる」は列挙されている事項の全てを選択する場合を含む任意のどれか（any of the natural inclusive permutations）を意味することが意図されている。すなわち、表現「ＸがＡを用いる」、「ＸがＢを用いる」、「ＸがＡとＢの両者を用いる」はいずれも表現「ＸがＡまたはＢを用いる」を満たしている。さらに、本願や添付の特許請求の範囲に用いられている冠詞の「ａ」や「ａｎ」は特段の記載のある場合や文脈から単数形であることが明らかである場合を除いて「一つ以上」を意味するものと一般に解釈されなければならないことを断っておく。
【００２６】
ここに記載した技術は、ＣＤＭＡ、ＴＤＭＡ、ＦＤＭＡ、ＯＦＤＭＡ、ＳＣ−ＦＤＭＡ、その他のシステムのような様々な無線通信システムに使用することができる。用語「システム」と「ネットワーク」はしばしば交換可能に用いられている。ＣＤＭＡシステムは、ユニバーサル地上無線アクセス（ＵＴＲＡ：Universal Terrestrial Radio Access）、ｃｄｍａ２０００、その他のような無線技術を実行することができる。ＵＴＲＡには、広帯域符号分割多元接続（Ｗ−ＣＤＭＡ：Wideband Code Division Multiple Access）やＣＤＭＡの他の変種が含まれる。さらに、ｃｄｍａ２０００はＩＳ−２０００、ＩＳ−９５、ＩＳ−８５６の各規格を包含している。ＴＤＭＡシステムは、移動体通信のためのグローバルシステム（ＧＳＭ（登録商標）：Global System for Mobile Communications）のような無線技術を実行することができる。ＯＦＤＭＡシステムは、進化したＵＴＲＡ（Ｅ−ＵＴＲＡ）、超広帯域モバイル（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、その他のような無線技術を実行することができる。ＵＴＲＡおよびＥ−ＵＴＲＡは、ユニバーサルモバイル通信システム（ＵＭＴＳ：Universal Mobile Telecommunications System）の一部である。３ＧＰＰ長期的高度化（ＬＴＥ：Long Term Evolution）の発表によりＯＦＤＭＡを下りリンクにＳＣ−ＦＤＭＡを上りリンクにそれぞれ採用しているＥ−ＵＴＲＡを用いたＵＭＴＳが公開された。ＵＴＲＡ、Ｅ−ＵＴＲＡ、ＵＭＴＳ、ＬＴＥ、ＧＳＭは、「第３世代パートナーシッププロジェクト（3rd Generation Partnership Project）」（３ＧＰＰ）と言う名称の組織が公開している文書に記載されている。また、ｃｄｍａ２０００およびＵＭＢは、「第３世代パートナーシッププロジェクト２（3rd Generation Partnership Project 2）」（３ＧＰＰ２）と言う名称の組織が公開している文書に記載されている。さらに、
これらの無線通信システムには、対になってもいなければ認可されてもいない周波数範囲（unpaired unlicensed spectrums）をしばしば使用するピアツーピア（peer-to-peer）（例えば、モバイル機器とモバイル機器と）の臨時ネットワークシステム、８０２．ｘｘ無線ＬＡＮ、ブルートゥース（ＢＬＵＥＴＯＯＴＨ（登録商標））、その他の短距離または長距離の無線通信技術も付加的に含まれている。
【００２７】
機器やコンポーネントやモジュールなどを幾つか備えているシステムとして様々な態様や特徴を提示する。どのシステムにも機器やコンポーネントやモジュールなどを追加したり、図面を参照してこれから詳述する機器やコンポーネントやモジュールなどを全て含めたりすることができることを理解および認識されたい。これらの手法の組み合わせを採用することもできる。
【００２８】
図１を参照する。典型的な通信システム１００のノードが幾つか例示されている。例示のためにお互いに通信し合っている１台以上の機器、アクセスポイント、ネットワークノードの関連で開示の様々な態様を説明する。しかし、別の用語を用いて引用されている他の種類の装置や他の類似した装置にここに示すどの態様も適用することができることを理解されたい。例えば、アクセスポイントは基地局、ｅノードＢｓ（ｅＮＢ）（eNodeBs (eNB)）、（例えば、ＵＭＴＳの場合のように）ホームノードＢｓ（Home Node Bs）、（例えば、ＬＥＴの場合のように）ホームｅＮＢｓ（Home eNBs）と呼ばれたり、そのようなものとして実現されたりするが、一括してＨ（ｅ）ＮＢｓ、フェムトセルまたはピコセルのアクセスポイント、移動基地局、リレーノード、ホットスポット、ルータ、ゲートウェイ、その他と呼ばれるのに対して、機器はユーザ機器（ＵＥ）、移動装置、アクセス端末、モデム、その他と呼ばれたり、そのようなものとして実現されたりする。
【００２９】
システム１００のアクセスポイントは、システム１００の有効範囲の中に設置されたりシステム１００の有効範囲の中を移動したりする１台以上の有線または無線の機器（例えば、機器１０２）に一種類以上のサービス（例えば、ネットワーク接続性（network connectivity））を提供する。例えば、システム１００の中で機器１０２はアクセスポイント１０４や（図示していない）どこか別のアクセスポイントと有線や無線のインターフェースにより様々な時点で繋がる。広域通信網の接続性（wide area network connectivity）を高めるためにどのアクセスポイントも（例えば、ネットワークノード１０６や１０８で示される）１個以上のネットワークノードと通信をすることができる。ネットワークノード１０６および１０８は、例えば、１個以上の無線ネットワークエンティティおよび１個以上の基幹ネットワークエンティティの両者または一方のような様々な形態をとることができる。したがって、様々な例においてネットワークノード１０６および１０８は（例えば、操作、管理、統御、供給をするあるエンティティによる）ネットワーク管理、呼び出し管理、セッション管理、モビリティ管理、ゲートウェイ機能、相互作用機能（interworking functions）、その他の適切なネットワーク機能の少なくとも一つのような機能を示す。ネットワークノード１０６は、モビリティ管理エンティティ（ＭＭＥ：mobility management entity）、サービスをしている一般パケット無線サービス（ＧＰＲＳ：general packet radio service）サポートノード（ＳＧＳＮ：Serving GPRS Support Node）、移動通信交換局（ＭＳＣ：mobile switching center）または滞在者所在レジスタ（ＶＬＲ：visitor location register）、その他の類似ノードのいずれでも良いモビリティマネージャ１１０を備えている。ネットワークノード１０８は、ホーム加入者サーバ（ＨＳＳ）１１２またはその他のノードを有している。さらに例えばネットワークノード１０６は、インターネット１１６、（図示していない）一台以上の他のルータやゲートウェイ、その他の少なくとも一つを介してネットワークノー
ド１０８と通信をすることができる。
【００３０】
場合によって機器１０２は、一組の無線セルに関連付けられている限定的グループアクセスポイント（例えば、アクセスポイント１０４）にアクセスすることができる。一般に一組の無線セルは、その組に固有の定義されている関係にあ（って、例えば、少なくとも１個のアクセスポイントにより提供され）る１個以上のセルから成っている。一組の無線セルの例は閉鎖的加入者群（ＣＳＧ）である。便宜上以下の説明は、より一般的な用語である一組の無線セルに関連しているのではなくて用語ＣＳＧに関連しているに過ぎない。しかしここに説明する着想は、無線セルや他の類似したエンティティの他の種類の定義されている組やグループ（例えば、限定的グループ）にも適用可能であることを理解されたい。また、限定的グループが限定的な水準のアクセスを非会員（例えば、ハイブリッドセル）に提供することにもここに記載する諸態様を同じように適用することができる。さらにアクセスポイントは、機器類が当該アクセスポイントと通信をすることのできるセルを１個以上提供可能であることを理解されたい。
【００３１】
図示されているようにアクセスポイント１０４はインターネット１１６にアクセスするためにルータ１１４や他の機器に接続され、アクセスポイント１０４はインターネット１１６を介してネットワークノード１０６や１０８と通信をする。ルータ１１４は、ローカルネットワーク機器１１８や１２０にインターネット１１６へのアクセスを付加的に提供する。例えば、ローカルネットワーク機器１１８や１２０は、ローカルエリアネットワーク（ＬＡＮ）のようなネットワークで通信をするように作動する実質的に任意の機器、無線ＬＡＮ（ＷＬＡＮ）機器（例えば、コンピュータ、サーバ、プリンタ、デジタルビデオレコーダ（ＤＶＲ：digital video recorder）、移動装置、それらの一部、またはプロセッサを備えている（か、プロセッサにアクセスすることができるかのいずれかである）だけでなくネットワークインターフェースをも備えている実質的に任意の機器）、その他である。別の例では、ルータ（例えば、ルータ１１４またはその他のルータ）がアクセスポイント１０４に並置されていて、アクセスポイント１０４がインターネット１１６に接続されてルータ１１４やローカルネットワーク機器１１８、１２０に広帯域アクセスを直接に提供する。
【００３２】
この例ではアクセスポイント１０４は、ローカルネットワーク機器１１８、１２０と一緒にローカルネットワークに関与するので、ローカルネットワーク機器１１８、１２０により提供されるローカルネットワーク内のリソースやサービスにアクセスすることができるだけでなく、アクセスポイント１０４に関連しているリソースにアクセスすることを許したり、アクセスポイント１０４に関連しているサービスを提供したりすることができる。この点に関してアクセスポイント１０４は、機器１０２のように無線インターフェースを用いてアクセスポイント１０４と通信をしている機器にＬＩＰＡを提供して、そのような機器がアクセスポイント１０４を介してローカルネットワークのサービスやリソースにアクセスしたり、１１８や１２０のようなローカルネットワーク機器に自らのリソースへのアクセスを許したり自らのサービスを提供したりすることの少なくとも一つのような動作を実行できるようにする。ある例では、機器１０２のアクセスポイント１０４は滞在先ネットワーク（例えば、滞在先公衆陸上移動ネットワーク（ＶＰＬＭＮ：visited public land mobile network）、その他）にあって、滞在先ネットワークはネットワークノード１０６を有している。機器１０２のホームネットワークのオペレータ（例えば、ホーム公衆陸上移動ネットワーク（ＨＰＬＭＮ：home public land mobile network）、その他）は滞在先ネットワーク（例えば、ＶＰＬＭＮ）で機器１０２にＬＩＰＡを許すべきであるかどうかを制御することを希望する可能性がある。この点に関しては、ここに詳述するように、ＶＰＬＭＮの１個以上のネットワークノード１０６（例えば、モビリティマネージャ１１０）へのＬＩＰＡを機器１０２が許されているかどうかを示すインジケータを１個以上のネットワークノード１０８（例えば、ＨＳＳ  １１２）が供給し、当該ＶＰＬＭＮがこのインジケータを用いて機器１０２によるＬＩＰＡの要求を処理するかどうかを決定する。
【００３３】
図２に移る。滞在先ネットワーク内の機器にＬＩＰＡを提供することを可能にする典型的な無線通信システム２００が例示されている。システム２００は、１個以上のアクセスポイントと通信をして無線ネットワークへのアクセス権を受信することのできる機器２０２、限定的なアクセス権を１台以上の機器に供給するＨ（ｅ）ＮＢ  ２０４、１台以上の基幹的なネットワークコンポーネントと通信をする権限を１台以上の機器に与えるモビリティマネージャ２０６を有している。システム２００は、機器２０２に関連しているホーム加入者サーバ（ＨＳＳ）やホーム所在レジスタ（ＨＬＲ）２０８をさらに有している。ある例ではここに記載されているように機器２０２はＵＥ、モデム（または他の有線式装置）、それらの一部のいずれかまたは全てであり、Ｈ（ｅ）ＮＢはフェムトセル、ピコセル、これらに類似したアクセスポイント、それらの一部、その他である。さらに、例えば、モビリティマネージャ２０６はＭＭＥ、ＳＧＳＮ、ＭＳＣ、ＶＬＲ、類似ノードのいずれかである。さらに、アクセスを容易にするために付加的なコンポーネントやノードが図示したものの間に存在していても構わない（例えば、モビリティマネージャ２０６とＨＳＳ／ＨＬＲ  ２０８との間などに１台以上のゲートウェイがあっても構わない）。
【００３４】
機器２０２は、ＨＰＬＭＮまたはＶＰＬＭＮ内で１個以上のアクセスポイントへのアクセスを試みるアクセス要求コンポーネント２１０およびＨＰＬＭＮまたはＶＰＬＭＮ内でＬＩＰＡ要求を伝送するＬＩＰＡ要求コンポーネント２１２を有している。
【００３５】
モビリティマネージャ２０６は、関連公衆陸上移動ネットワーク（ＰＬＭＮ）によって一台以上の機器の登録をする機器登録コンポーネント２１４、一台以上の機器がＰＬＭＮでＬＩＰＡを許されているかどうかを決定するＬＩＰＡ決定コンポーネント２１６、機器２０２からのＬＩＰＡ要求を決定に基づいて叶えるＬＩＰＡ処理コンポーネント２１８を有している。
【００３６】
ＨＳＳ／ＨＬＲ  ２０８は、ＶＰＬＭＮに機器を登録することを許可して機器のために１個以上のサービスパラメータをＶＰＬＭＮに供給することのできる滞在先ネットワーク登録コンポーネント２２０やＶＰＬＭＮでＬＩＰＡを要求することを機器が許されているのかどうかを明示することのできるＬＩＰＡ指示コンポーネント２２２を具備していても構わない。
【００３７】
ある例では機器２０２は、機器２０２のＨＰＬＭＮで構わないＰＬＭＮを提供するネットワークオペレータに関連している。さらにＨＳＳ／ＨＬＲ  ２０８は、機器２０２のために申し込み情報を格納するＨＰＬＭＮのノードであっても構わない。Ｈ（ｅ）ＮＢ  ２０４およびモビリティマネージャ２０６は異なるネットワークオペレータにより供給されるＰＬＭＮの一部で構わず、ＰＬＭＮは機器２０２のＶＰＬＭＮで構わない。但し、アクセス要求コンポーネント２１０はＨ（ｅ）ＮＢ  ２０４のようなＶＰＬＭＮの１個以上のアクセスポイントへのアクセスを試みることができ、Ｈ（ｅ）ＮＢ  ２０４はモビリティマネージャ２０６にアクセスの試みを通知してＶＰＬＭＮでの機器２０２の認証や許可を促進させることができる。この例では、機器２０２はＶＰＬＭＮに登録または接続の手続きをすることができる。ある例では、アクセス要求コンポーネント２１０は、接続の要求、登録の要求、トラッキング領域更新（ＴＡＵ：tracking area update）または所在領域更新（ＬＡＵ：location area update）またはルーティング領域更新（ＲＡＵ：routing area update）または類似の要求をＨ（ｅ）ＮＢ  ２０４に送信し、Ｈ（ｅ）ＮＢ  ２０４はメッセージをモビリティマネージャ２０６に送信する。したがってどちらの場合にも機器登録コンポーネント２１４は１個以上の機器２０２パラメータをＨ（ｅ）ＮＢ  ２０４から（例えば、接続要求、登録要求、ＴＡＵ、ＬＡＵ、ＲＡＵ、類似のメッセージから）取得する。
【００３８】
この例では、機器登録コンポーネント２１４はＨＳＳ／ＨＬＲ  ２０８からＶＰＬＭＮに機器２０２の登録を要求することができる。例えば、これは更新所在要求または類似のメッセージの一部であって構わない。滞在先ネットワーク登録コンポーネント２２０は機器２０２の登録要求を取得することができ、ＬＩＰＡ指示コンポーネント２２２は機器２０２に関連した機器申し込み情報をモビリティマネージャ２０６に供給することができる。これは、例えば、更新所在肯定応答メッセージ、挿入加入者データメッセージ（Insert Subscriber Data message）、ＬＴＥネットワークに機器情報を提供するのに用いられる類似のメッセージの全てまたはどれかの一部で構わない。ある例では機器申し込み情報には、機器２０２が加入しているＣＳＧｓのリスト（例えば、識別子のリスト）やアクセスレベルやＣＳＧの会員資格に関する実質的に任意のパラメータが記載されている、機器２０２のＣＳＧ申し込み情報が含まれている。機器登録コンポーネント２１４は、機器申し込み情報にしたがって機器２０２へのネットワークアクセスを提供する、機器申し込み情報を受信することができる。
【００３９】
機器申し込み情報の一部として、あるいは、機器２０２の登録、接続、その他に関連する別のメッセージの中で、あるいはその両者としてＬＩＰＡ指示コンポーネント２２２は、機器２０２がＶＰＬＭＮにおいてＣＳＧｓまたは関連アクセスポイントへの加入やアクセスを許されているかどうかを示すＬＩＰＡインジケータ２２４を（例えば、提供されている１個以上のセルにより）モビリティマネージャ２０６に付加的に伝達する。ある例では、ＬＩＰＡ指示コンポーネント２２２はＬＩＰＡインジケータ２２４を特定の機器２０２のために決定したり格納したりする。例えば、機器２０２や関連しているユーザまたは加入者に固有であるオペレータの方針、ローミング契約、申し込みクラス、課金モデル、その他に少なくとも部分的に基づいてＬＩＰＡインジケータ２２４はネットワークオペレータにより（例えば、ＬＩＰＡ指示コンポーネント２２２へのインターフェースを介して）初期化される。さらに、ＬＩＰＡインジケータ２２４はある与えられたＶＰＬＭＮに申し込みをする（ので、ＬＩＰＡ指示コンポーネント２２２はＬＩＰＡインジケータ２２４をＶＰＬＭＮ毎に有している）。別の例では、ＬＩＰＡ指示コンポーネント２２２は、ＶＰＬＭＮの１個以上のＣＳＧｓ、一般に任意の滞在先ネットワークの１個以上の特定のＨ（ｅ）ＮＢｓまたは他のアクセスポイント、その他のような様々な細分性のＬＩＰＡインジケータを任意に決定したり記憶したりする。ある特定の代替的な例では、ＣＳＧ申し込み情報はＣＳＧ識別子と対応するＬＩＰＡインジケータのリストである。いずれにしても例えばＬＩＰＡインジケータ２２４は機器２０２のために受信したＣＳＧ申し込み情報の一部である。
【００４０】
したがって例えばＬＩＰＡ指示コンポーネント２２２は、ＬＩＰＡインジケータ２２４のようなＬＩＰＡインジケータをモビリティマネージャ２０６のＶＰＬＭＮに関連しているものとして機器２０２のために決定し、これが機器申し込み情報やＬＩＰＡインジケータ２２４の別の要求において推論されたり受け入れられたりする。別の例では、ＬＩＰＡ指示コンポーネント２２２はＬＩＰＡインジケータ２２４をＨ（ｅ）ＮＢ  ２０４に関連しているものとして決定し、これがモビリティマネージャ２０６からの申し込み情報の要求やＬＩＰＡインジケータ２２４に関する別の要求において推論されたり受け入れられたりする。いずれにしても、ＬＩＰＡ指示コンポーネント２２２はＬＩＰＡインジケータ２２４をモビリティマネージャ２０６に供給する。ある例ではＬＩＰＡ指示コンポーネント２２２は機器２０２に関する機器申し込み情報においてＬＩＰＡインジケータ２２４を（例えば、ＣＳＧｓのリストと一緒に）伝達する。別の例ではＬＩＰＡインジケータ２２４は、オペレータが制御していて機器がＬＩＰＡを使用することができない（か、あるいはＬＩＰＡを使用することができる）ＶＰＬＭＨｓ、ＣＳＧｓ、Ｈ（ｅ）ＮＢｓ、その他のリストに対応している。
【００４１】
ＬＩＰＡ決定コンポーネント２１６はＬＩＰＡインジケータ２２４を（例えば、機器申し込み情報またはその他から）受信する。Ｈ（ｅ）ＮＢ  ２０４やＨ（ｅ）ＮＢ自体に関連付けられているＣＳＧのあるＶＰＬＭＮでＬＩＰＡを使用することを機器２０２が許されていることをＬＩＰＡインジケータ２２４が明示している場合には、ＬＩＰＡ処理コンポーネント２１８は（例えば、Ｈ（ｅ）ＮＢ  ２０４に関連しているＣＳＧのある）ＶＰＬＭＮでＬＩＰＡを使用することを機器２０２に許すことを決定する。ある例では、更新ＣＳＧ所在要求肯定応答メッセージ（Update CSG Location Request Acknowledgement message）またはＬＴＥネットワークで伝達される類似のメッセージにおいてＬＩＰＡ決定コンポーネント２１６がＬＩＰＡインジケータ２２４を受信する。ある例では、ＬＩＰＡ処理コンポーネント２１８がＶＰＬＭＮで（例えば、Ｈ（ｅ）ＮＢ  ２０４に関連しているＣＳＧのための）ＬＩＰＡを要求することができる旨を機器２０２に通知する。
【００４２】
ある例では、ＬＩＰＡ要求コンポーネント２１２がＨ（ｅ）ＮＢ  ２０４に関連しているネットワークでＬＩＰＡを要求する。これには、例えば、ネットワーク内で一台以上の機器との通信を求める特定の要求、ネットワーク内で使用することのできるリソースの発見を求める要求、その他が含まれる。したがって、ＬＩＰＡ決定コンポーネント２１６が機器２０２にはＬＩＰＡの使用が許されていることを（例えば、受信したＬＩＰＡインジケータ２２４に基づいて）決定すると、ＬＩＰＡ処理コンポーネント２１８は機器２０２のためにＨ（ｅ）ＮＢ  ２０４でＬＩＰＡを可能にする。これには、例えば、機器２０２にＬＩＰＡサービスを提供すること（例えば、機器２０２が一般的なＬＩＰＡによりＩＰフローまたは他の通信環境をＨ（ｅ）ＮＢ  ２０４に確立し、一台以上の特定のネットワーク機器にアクセスするためのＩＰフローまたは他の通信環境を機器２０２がＨ（ｅ）ＮＢ  ２０４を用いて確立してＬＩＰＡパケットの通信を可能にすること）などが含まれている。ＬＩＰＡ決定コンポーネント２１６が機器２０２にはＬＩＰＡの使用が許されていないことを決定すると、ＬＩＰＡ処理コンポーネント２１８は機器２０２によるＬＩＰＡを用いたアクセスの試みを拒否する。別の例ではＬＩＰＡ決定コンポーネント２１６は機器２０２からＬＩＰＡの要求を受信すると、機器２０２のためにＬＩＰＡインジケータをＨＳＳ／ＨＬＲ  ２０８から要求することを理解されたい。
【００４３】
図３を参照する。ｅＮＢ  ３０４（例えば、Ｈ（ｅ）ＮＢ）、ＭＭＥ  ３０６、サービングゲートウェイ（ＳＧＷ：serving gateway）３０８、パケットデータネットワーク（ＰＤＮ：packet data network）ゲートウェイ（ＰＧＷ：packet data network gateway）３１０、ＰＤＮ  ３１２、ＨＳＳ  ３１４、ＣＳＧ管理サーバ３１６、ＣＳＧ申し込みサーバ（ＣＳＳ）３１８のようなＶＰＬＭＮの１個以上のコンポーネントやＵＥ  ３０２のようなエンティティを具備する典型的な無線通信ネットワーク３００が図示されている。ネットワーク３００は、ＵＥ  ３０２のＨＰＬＭＮのＨＳＳ  ３２２やＣＳＧリストサーバ３２０も具備している。３ＧＰＰ  ＬＴＥネットワークに関連付けた一般的な説明にしたがって図示されているがここに記載されている着想は付加的なノードや別のノードを含むことのできる別の実施（例えば、ＵＭＴＳに基づくシステム、その他）にも適用することができることを理解されたい。
【００４４】
ある例によれば、ＵＥ  ３０２は（例えば、接続要求（attach request）、登録要求、ＴＡＵ、ＬＡＵ、ＲＡＵ、これらに類似したメッセージを送信して）ＶＰＬＭＮのｅＮＢ  ３０４へのアクセスを試みる。ｅＮＢ  ３０４は、アクセスの試みに関する１種類以上のメッセージをＭＭＥ  ３０６に転送する。ＭＭＥ  ３０６は、ＵＥ  ３０２が別のネットワークの一員であることを突き止めて、ＵＥ  ３０２に関する機器申し込み情報についてＨＳＳ  ３２２に問い合わせる。ある例ではＨＳＳ  ３２２は、ＵＥ  ３０２が会員になっているＣＳＧｓの一種類以上のリストが含まれているＣＳＧ申し込み情報をＣＳＧリストサーバ３２０から要求する。既に説明したようにＣＳＧ申し込み情報を含む機器申し込み情報をＩＰＡインジケータと一緒にＨＳＳ  ３２２はＭＭＥ  ３０６に供給する。ＭＭＥ  ３０６はＬＩＰＡインジケータを取得して、ＬＩＰＡインジケータに少なくとも部分的に基づいてＬＩＰＡをＵＥ  ３０２に提供するかどうかを決定する。
【００４５】
例えば、ＶＰＬＭＮ（例えば、ＶＰＬＭＮ内のｅＮＢ  ３０４に関連しているＣＳＧ）でＬＩＰＡを使用することがＵＥ  ３０２には許されていないことをＬＩＰＡインジケータが明示している場合には、ＭＭＥ  ３０６はＵＥ  ３０６からのＬＩＰＡの要求を否定したり処理しなかったりする。別の例では、ＶＰＬＭＮ（またはＣＳＧ）でＬＩＰＡがＵＥ  ３０２に許されていることをＬＩＰＡインジケータが明示している場合には、ＭＭＥ  ３０６はローカルネットワークデバイスにアクセスするためのＩＰフローをｅＮＢ  ３０４で確立してＵＥ  ３０２とｅＮＢ  ３０４との間におけるＬＩＰＡを少なくとも部分的に可能にする。
【００４６】
図４を参照する。滞在先ネットワークのＵＥのためにＬＩＰＡ申し込み情報を要求することを決定することを含むＴＡＵ手続きを実行する典型的な無線通信システム４００が図示されている。システム４００はＵＥ  ４０２、ｅＮＢ  ４０４（例えば、Ｈ（ｅ）ＮＢ）、基地局制御装置（ＢＳＣ：base station controller）（や無線ネットワークコントローラ（ＲＮＣ：radio network controller））４０６、ＭＭＥ  ４０８、旧ＭＭＥ  ４１０（どちらもＳＧＳＮのようなものである）、ＳＧＷ  ４１２、ＰＧＷ  ４１４、ポリシー課金規則の機能（ＰＣＲＦ：policy charging and rules function）４１６、ＨＳＳ  ４１８を具備している。ＨＳＳ  ４１８はＵＥ  ４０２のＨＰＬＭＮの中にあり、残りのノードは例えばＶＰＬＭＮの一部であることを理解されたい。メッセージ４２０は、ＬＴＥまたは類似のＥ−ＵＴＲＡネットワークでＴＡＵ手続きを実行することとの関連で示されているが、このメッセージには次の諸事項、すなわち、ＵＥ  ４０２でＴＡＵ手続きを開始させるきっかけ、ＵＥ  ４０２とｅＮＢ  ４０４との間におけるＴＡＵ要求、ｅＮＢ  ４０４からＭＭＥ  ４０８に転送されるＴＡＵ要求、コンテキストの要求と応答、ＭＭＥ  ４０８とＨＳＳ  ４１８との間におけるＵＥ  ４０２の省略可能な認証と機密保護、コンテキストの承認、ＳＧＷ  ４１２への修正ベアラ要求、ＳＧＷ  ４１２からＰＧＷ  ４１４への対応する修正ベアラ要求、ポリシーおよび課金の実行機能（ＰＣＥＦ：policy and charging enforcement function）始動インターネットプロトコル接続性アクセスネットワーク（ＩＰ−ＣＡＮ：internet protocol connectivity access network）セッション修正、対応する修正ベアラ応答、先に説明したようにＭＭＥ  ４０８からＨＳＳ  ４１８への更新所在要求、旧ＭＭＥ  ４１０とＨＳＳ  ４１８との間の取り消し所在および対応する承認、ＢＳＣ  ４０４のｌｕ解放コマンドおよびｌｕ解放完了が含まれている。
【００４７】
ＨＳＳ  ４１８は、ＵＥ  ４０２に関する申し込み情報を含む更新所在肯定応答４２２をＭＭＥ  ４０８に送信する。さらに、既に述べたように、更新所在肯定応答４２２にもＭＭＥ  ４０８のＶＰＬＭＮやｅＮＢ  ４０４に関連しているＣＳＧでＬＩＰＡを用いることをＵＥ  ４０２が許されているかどうかを明示するＬＩＰＡインジケータが含まれている。後者の例では、例えば、ＭＭＥ  ４０８は（例えば、更新所在要求その他のメッセージで）ＣＳＧをＨＳＳ  ４１８に指示する。ＭＭＥ  ４０８からのＴＡＵの承認およびＵＥ  ４０２からの省略可能なＴＡＵの完了を含めて付加的なＴＡＵ手続きメッセージ４２４が示されている。
【００４８】
図５〜図６を参照する。滞在先ネットワークで機器のためにＬＩＰＡを制御することに関連している典型的な方法が例示されている。説明を容易化するために方法を一連の動作として提示しながら説明するが、１種類以上の実施態様の諸動作の中にはここに提示しながら説明する場合とは別の順序で生じることの可能な動作もあれば別の動作と一緒に生じることの可能な動作もあるので、方法は動作の順序により限定されないことを理解し認識されたい。あるいは、例えば、状態図に示されているように相互に関連し合っている一連の状態やイベントとして方法を表すことができることを理解されたい。さらに、１種類以上の実施態様にしたがってある方法を実行する際には例示した動作が全て必要な訳でもない。
【００４９】
図５を参照する。滞在先ネットワークでＬＩＰＡを使用することが機器に許されているかどうかを容易に示す典型的な方法５００が示されている。５０２では、滞在先ネットワークに機器を登録することに関する指標を滞在先ネットワークから受信する。例えば、滞在先ネットワークのＨ（ｅ）ＮＢへのアクセスを機器が要求する。この指標は、滞在先ネットワークのＭＭＥまたは類似ノードにより送信される更新所在要求の一部であっても構わない。５０４では、滞在先ネットワークでＬＩＰＡを使用することが機器に許されているかどうかを明示するＬＩＰＡインジケータと一緒に１個以上のパラメータが指標に応じて送信される。例えば、１個以上のパラメータが機器や関連ユーザの申し込み情報に関連している。ある例では既に説明したようにオペレータのポリシー、ローミング契約、申し込みクラス、課金モデル、その他に基づいてネットワークオペレータによりＬＩＰＡインジケータが初期化される。さらに、ＬＩＰＡインジケータは滞在先ネットワークに固有であったり、滞在先ネットワーク内のＣＳＧ、その他に固有であったりするが、一般に滞在先ネットワークに適用される。さらに、例えば、パラメータやＬＩＰＡインジケータは説明したように更新所在肯定応答の中で送信される。
【００５０】
図６に移る。ＬＩＰＡインジケータに基づいてＬＩＰＡサービスを機器に提供するかどうかを容易に決定する典型的な方法６００が示されている。滞在先ネットワークでＬＩＰＡを利用することを機器が許されているのかどうかを明示するＬＩＰＡインジケータと一緒に機器のための申し込み情報が６０２で受信される。既に説明したように、滞在先ネットワークに機器を登録するために送信した更新所在要求に応じて受信される更新所在肯定応答メッセージで申し込み情報やＬＩＰＡインジケータが受信される。ＬＩＰＡインジケータに少なくとも部分的に基づいてＬＩＰＡサービスを機器に提供するかどうかが７０４で決定される。したがって、例えば、滞在先ネットワークでＬＩＰＡを使用することを機器が許されていることをＬＩＰＡインジケータが明示する場合には、ＬＩＰＡサービスが機器に提供される。これには、例えば、ＬＩＰＡ通信の送受信をするアクセスポイントで機器のためにＩＰフローを確立することが含まれている。
【００５１】
ここに記載したＬＩＰＡインジケータの初期化その他がここに記載した一種類以上の態様にしたがって行われることを理解されたい。ここで用いている用語「推論する（infer）」や「推論（inference）」は、イベントやデータを観察して得られる結果を基にしたシステムや環境やユーザに関する推理の過程または推測の状態を一般に言う。例えば、特定のコンテキストや動作の識別や様々な状態に関する確率分布の生成が推論により可能である。推論は、関心のある状態に関する確率分布をデータとイベントに基づいて演算することであり、確率的である。推論は、一組のイベントやデータからより高いレベルのイベントを作成する技術にも関連している。このようなものである推論は、種々のイベントが時間的近接性の点で相互に密接に関係していようといまいと、イベントやデータの発生源が一つ以上であろうとあるまいと観察したイベント一式や格納されているイベントデータ一式から新しいイベントや動作を構成することに帰着する。
【００５２】
図７を参照する。ネットワークノード１０６や１０８、モビリティマネージャ１１０や２０６、ＨＳＳまたはＨＬＲｓ  １１２、２０８、３１４、３２２、４１８、ＭＭＥｓ  ３０６、４０８、４１０、ＳＧＷｓ  ３０８または４０２、ＰＧＷｓ  ３１０または４１４、ＰＤＮのノード３１２、ＣＳＧ管理サーバ３１６、ＣＳＳｓ  ３１８または４２０、ＣＳＧリストサーバ３２０、その他（例えば、図１〜４）はある態様ではいずれもコンピュータ装置７００で表すことができる。コンピュータ装置７００は、ここに記載した一種類上のコンポーネントや機能に関連付けられている処理機能を果たすプロセッサ７０２を具備している。プロセッサ７０２には一組または複数組みのプロセッサやマルチコアプロセッサが含まれる。さらに、プロセッサ７０２を一体型の処理システムや分散型の処理システムのいずれとしても実現することができる。
【００５３】
コンピュータ装置７００は、プロセッサ７０２が実行するアプリケーションのローカル版を格納するためなどにメモリ７０４をさらに具備している。メモリ７０４には、ランダムアクセスメモリ（ＲＡＭ）、リードオンリーメモリ（ＲＯＭ）、テープ、磁気ディスク、光ディスク、揮発性メモリ、不揮発性メモリ、これらの任意の組み合わせのようにコンピュータが使用できる限り実質的にどんな種類のメモリでも含まれる。コンピュータ装置７００には、メモリに格納することができたり、（例えば、メモリ７０４に格納されている命令に基づいて）プロセッサ７０２が実行したり、１台以上のプロセッサ７０２の中で実現されたりする１台以上のコンポーネント７０６〜７２８も含まれている。
【００５４】
さらに、コンピュータ装置７００は、ここに記載したハードウェア、ソフトウェア、サービスを利用して一人以上の関係者との通信を確立したり維持したりする通信コンポーネント７０６を具備している。通信コンポーネント７０６は、コンピュータ装置７００のコンポーネント相互間の通信を行ったり、通信ネットワーク内に散在している諸々の装置やコンピュータ装置７００に直列にまたは局所的に接続されている装置のような外部装置とコンピュータ装置７００との間の通信を行ったりする。例えば、通信コンポーネント７０６は、１本以上のバスを有しているだけでなく、外部装置とインターフェースで接続されて作動する送信機や受信機にそれぞれ関連付けられている送信系コンポーネントや受信系コンポーネントをさらに有している。
【００５５】
その上に、コンピュータ装置７００は、ここに説明した諸態様との関連で用いられる情報、データベース、プログラムの大容量記憶をハードウェアおよびソフトウェアの両者または一方の適切な組み合わせで提供するデータストア７０８をさらに具備している。例えば、データストア７０８はプロセッサ７０２が現在実行していないアプリケーションのためのデータ貯蔵所である。
【００５６】
コンピュータ装置７００は、コンピュータ装置７００のユーザからの入力を受けたり、ユーザに提示する出力を生成したりするために作動するインターフェースコンポーネント７１０を必要に応じて具備している。インターフェースコンポーネント７１０は入力装置を１台以上具備している。ところで、キーボード、数字キーパッド、マウス、タッチセンシティブディスプレイ（touch-sensitive display）、ナビゲーションキー（navigation key）、ファンクションキー（function key）、マイクロフォン、音声認識コンポーネント、ユーザからの入力を受けることのできるその他の任意の機構、これらの任意の組み合わせが入力装置に含まれるが、入力装置はこれらに限定される訳ではない。さらに、インターフェースコンポーネント７１０は出力装置を１台以上具備している。ディスプレイ、スピーカ、触覚式フィードバック機構（haptic feedback mechanism）、プリンタ、ユーザに出力を提示することのできるその他の任意の機構、これらの任意の組合せが出力装置に含まれるが、出力装置はこれらに限定される訳ではない。別の例ではインターフェースコンポーネント７１０は、１台以上の装置がアクセスしてコンピュータ装置７００で機能を実行するアプリケーションプログラミングインターフェース（ＡＰＩ：application programming interface）である。
【００５７】
さらに、説明している例では、機器登録コンポーネント２１４に類似している機器登録コンポーネント７１２、ＬＩＰＡ決定コンポーネント２１６に類似しているＬＩＰＡ決定コンポーネント７１４、ＬＩＰＡ処理コンポーネント２１８に類似しているＬＩＰＡ処理コンポーネント７１６、滞在先ネットワーク登録コンポーネント２２０に類似している滞在先ネットワーク登録コンポーネント７１８、ＬＩＰＡ指示コンポーネント２２２に類似しているＬＩＰＡ指示コンポーネント７２０の全てまたはいずれかをコンピュータ装置７００が必要に応じて具備していても構わない。したがって、これらのコンポーネント７１２、７１４、７１６、７１８、７２０は、それぞれがまたはいずれかが既に説明したようにプロセッサ７０２を用いてそれぞれに関係付けられている命令を実行したり、メモリ７０４を用いてそれぞれに関係付けられている情報を格納したり、通信コンポーネント７０６を用いて通信をしたりなどする。さらにコンピュータ装置７００は、ここに記載した付加的または代替的なコンポーネントを具備していることを認識されたい。
【００５８】
図８を参照する。滞在先ネットワークでＬＩＰＡを使用することが機器に許されているかどうかを明示するシステム８００が示されている。例えば、システム８００はＨＳＳ／ＨＬＲ、その他の中に少なくとも部分的に存在している。システム８００は、プロセッサ、ソフトウェア、これらの組み合わせ（例えば、ファームウェア）により実行される機能を表す機能ブロックであり得る機能ブロックを具備しているものとして示されていることを認識されたい。システム８００は、共同して作動する諸電気コンポーネントの論理グループ８０２を具備している。例えば、論理グループ８０２は、滞在先ネットワーク８０４に機器を登録することに関連している指標を滞在先ネットワークから受信する電気コンポーネントを具備している。説明したようにこれには滞在先ネットワークのＭＭＥから更新所在要求を受信することが含まれる。
【００５９】
さらに論理グループ８０２は、滞在先ネットワーク８０６でＬＩＰＡを用いることを装置が許されているのかどうかを明示するＬＩＰＡインジケータと一緒にパラメータを指標に応じて一個以上送信する電気コンポーネントを具備している。例えばＬＩＰＡインジケータは、記載しているようにネットワークオペレータにより初期化されるが、一種類以上の滞在先ネットワークや一種類以上の滞在先ネットワーク内のＣＳＧや特定のＨ（ｅ）ＮＢに固有であったり、任意の滞在先ネットワークその他に汎用であったりする。例えば、ＬＩＰＡインジケータには、既に説明したようにＬＩＰＡサービスを装置に提供するかどうかを決定することが含まれている。例えば、電気コンポーネント８０４は先に説明したように滞在先ネットワーク登録コンポーネント２２０を具備している。その上に例えばある態様では、電気コンポーネント８０６は先に説明したようにＬＩＰＡ指示コンポーネント２２２を具備している。さらにシステム８００は、電気コンポーネント８０４および８０６に関連付けられている諸機能を実行する諸命令を保持するメモリ８０８を具備している。一台以上の電気コンポーネント８０４や８０６は図面にはメモリ８０８の外部に示されているがメモリ８０８の中に存在していても構わない。
【００６０】
ある例では、電気コンポーネント８０４および８０６は少なくとも１台のプロセッサを具備しているか、電気コンポーネント８０４および８０６はそれぞれが少なくとも１台のプロセッサの対応するモジュールであるかのいずれかである。さらに、電気コンポーネント８０４および８０６がいずれも対応するコードである付加的または代替的な例では電気コンポーネント８０４および８０６はコンピュータ可読媒体を含むコンピュータプログラム製品である。
【００６１】
図９を参照する。ＬＩＰＡサービスを機器に提供するかどうかを決めるシステム９００が例示されている。例えばシステム９００は、ＭＭＥなどの中に少なくとも部分的に存在していても構わない。システム９００は、プロセッサ、ソフトウェア、これらの組み合わせ（例えば、ファームウェア）により実行される機能を表す機能ブロックである機能ブロックを具備しているものとして示されていることを認識されたい。システム９００は、共同して作動する諸電気コンポーネントの論理グループ９０２を具備している。例えば論理グループ９０２は、滞在先ネットワークでＬＩＰＡを用いることを機器が許されているのかどうかを明示するＬＩＰＡインジケータと一緒に申し込み情報を機器のために受信する電気コンポーネント９０４を具備している。説明したようにこれには、機器に関するＬＩＰＡインジケータや申し込み情報を更新所在肯定応答または類似のメッセージに受け入れることが含まれる。
【００６２】
さらに論理グループ９０２は、ＬＩＰＡサービスを機器に提供するのかどうかをＬＩＰＡインジケータに少なくとも部分的に基づいて決める電気コンポーネント９０６を具備している。記載したように、例えば、滞在先ネットワークでＬＩＰＡを使用することを機器が許されていることをＬＩＰＡインジケータが明示する場合には、ＬＩＰＡサービスが機器に提供される。これには、例えば、機器がアクセスポイントでＬＩＰＡを使用することができるように一個以上のＩＰフローを確立することが含まれる。例えば、電気コンポーネント９０４は先に説明したように滞在先ネットワーク登録コンポーネント２１４を具備している。その上に例えばある態様では、電気コンポーネント９０６は先に説明したようにＬＩＰＡ指示コンポーネント２１６を具備している。さらにシステム９００は、電気コンポーネント９０４および９０６に関連付けられている諸機能を実行する諸命令を保持するメモリ９０８を具備している。一台以上の電気コンポーネント９０４や９０６は図面にはメモリ９０８の外部に示されているがメモリ９０８の中に存在していても構わない。
【００６３】
ある例では、電気コンポーネント９０４および９０６は少なくとも１台のプロセッサを具備しているか、電気コンポーネント９０４および９０６はそれぞれが少なくとも１台のプロセッサの対応するモジュールであるかのいずれかである。さらに、電気コンポーネント９０４および９０６がいずれも対応するコードである付加的または代替的な例では電気コンポーネント９０４および９０６はコンピュータ可読媒体を含むコンピュータプログラム製品である。
【００６４】
図１０を参照する。ここに提示した様々な態様にしたがっている無線通信システム１０００が例示されている。システム１０００は、アンテナ群を多数備えている基地局１００２を具備している。例えば、あるアンテナ群はアンテナ１００４および１００６を有していて、別のアンテナ群はアンテナ１００８および１０１０を、付加的な群はアンテナ１０１２および１０１４をそれぞれ有している。アンテナ群毎に２本のアンテナが示されているが、もっと多いかもっと少ないかのどちらかの本数のアンテナを個々の群に用いても構わない。基地局１００２は、送信機系列および受信機系列をさらに備えていても構わない。いずれの系列も信号の送受信に関連している複数個のコンポーネント（例えば、プロセッサ、変調器、多重化装置（multiplexers）、復調器、多重分離化装置（demultiplexers）、アンテナ、その他）で構成されている。
【００６５】
基地局１００２は、移動装置１０１６や移動装置１０２２のような一台以上の移動装置と通信をする。基地局１００２は、移動装置１０１６や１０２２に類似している実質的に任意の数の移動装置と通信をすることができることを認識されたい。移動装置１０１６および１０２２は、例えば、小型携帯移動電話機、スマートフォン、ラップトップ、手持ち式通信装置、手持ち式計算装置、サテライトラジオ（satellite radios）、全世界測位システム（global positioning systems）、ＰＤＡｓ、無線通信システム１０００による通信に適しているその他の任意の装置である。図示されているように、移動装置１０１６がアンテナ１０１２および１０１４と通信をしている。アンテナ１０１２および１０１４は順方向リンク１０１８により移動装置１０１６に情報を送信し、逆方向リンク１０２０により移動装置１０１６から情報を受信する。さらに、移動装置１０２２がアンテナ１００４および１００６と通信をしている。アンテナ１００４および１００６は順方向リンク１０２４により移動装置１０２２に情報を送信し、逆方向リンク１０２６により移動装置１０２２から情報を受信する。周波数分割複信（ＦＤＤ：frequency division duplex）システムでは、例えば、順方向リンク１０１８は逆方向リンク１０２０が使用する周波数帯域とは異なる周波数帯を使用し、順方向リンク１０２４は逆方向リンク１０２６が使用する周波数帯域とは異なる周波数帯を使用する。さらに、時分割複信（ＴＤＤ：time division duplex）システムでは、順方向リンク１０１８と逆方向リンク１０２０は共通の周波数帯を使用し、順方向リンク１０２４と逆方向リンク１０２６は共通の周波数帯を使用する。
【００６６】
個々のアンテナ群および個々のアンテナ群が通信に指定される領域の両者または一方は基地局１００２のセクタと呼ばれる。例えばどのアンテナ群も、基地局１００２がカバーしている領域のセクタ内の移動装置と通信をするように設計されている。順方向リンク１０１８および１０２４による通信では基地局１００２の送信アンテナはビームフォーミングを用いて移動装置１０１６および１０２２のそれぞれに向かう順方向リンク１０１８および１０２４の信号対雑音比を改善する。また、基地局１００２が関連有効範囲のあちこちに任意に点在している移動装置１０１６および１０２２にビームフォーミングを使用して送信をしている間は、基地局が一本のアンテナで全ての移動装置に送信をしている場合に比べて隣接セル内の移動装置は干渉にさらされ難い。さらに、ピアツーピアやその場凌ぎの技術を使用すれば移動装置１０１６および１０２２はお互いに直に通信をすることができる。ある例では、システム１０００はマルチ入力マルチ出力（ＭＩＭＯ：multiple-input multiple-output）通信システムである。
【００６７】
図１１は、典型的な無線通信システム１１００を示している。簡潔にするために、一台の基地局１１１０と一台の移動装置１１５０が無線通信システム１１００として図示されている。しかし、システム１１００は一台よりも多い数の基地局や一台よりも多い数の移動装置を含むことができることを理解されたい。追加される基地局や移動装置は、以下に説明する基地局１１１０や移動局１１５０の典型例と実質的に類似していても実質的に異なっていても構わない。さらに基地局１１１０および移動装置１１５０は両者または一方が、ここに述べたシステム（図１〜４および図８〜１０）、コンピュータ装置（図７）、方法（図５〜６）のいずれかまたは全てを使用して両者間で無線通信をすることを理解されたい。例えば、ここに述べたシステムや方法のコンポーネントまたは機能は以下に述べるメモリ１１３２や１１７２またはプロセッサ１１３０や１１７０の一部であり、プロセッサ１１３０や１１７０により実行されて開示した諸機能を果たす。
【００６８】
基地局１１１０では、幾つかのデータストリームに関するトラフィックデータがデータソース１１１２から送信（ＴＸ）データプロセッサ１１１４に供給される。ある例では、個々のデータストリームがそれぞれのアンテナにより送信される。ＴＸデータプロセッサ１１１４は、トラフィックデータストリームのフォーマット化、符号化、インターリーブ化を当該データストリームのために選択された特定の符号化方式に基づいて行って符号化データを供給する。
【００６９】
各データストリームの符号化データは直交周波数分割多重（ＯＦＤＭ：orthogonal frequency division multiplexing）技術を用いてパイロットデータで多重化される。付加的にまたは代替的にパイロットシンボルには、周波数分割多重化（ＦＤＭ：frequency division multiplexed）、時分割多重化（ＴＤＭ：time division multiplexed）、符号分割多重化（ＣＤＭ：code division multiplexed）のいずれかの処理が施される。パイロットデータは典型的には既知のデータパターンであり、既知の方法で処理されて移動装置１１５０でチャネル応答の推定に使用される。データストリーム毎に多重化されたパイロットと符号化データは、当該データストリームのために選択された特定の変調方式（例えば、２相位相シフトキーイング（ＢＰＳＫ：binary phase-shift keying）、４相位相シフトキーイング（QPSK：quadrature phase-shift keying）、Ｍ位相シフトキーイング（M-PSK：M-phase-shift keying）、Ｍ直交振幅変調（M-QAM：M-quadrature amplitude modulation）、その他）に基づいて変調されて（例えば、シンボルマッピングされて）変調シンボルを供給する。データストリーム毎のデータ転送速度、符号化、変調は、プロセッサ１１３０が実行したり供給したりする命令により決まる。
【００７０】
データストリームのための変調シンボルがＴＸ  ＭＩＭＯプロセッサ１１２０に供給されて、変調シンボルが（例えば、ＯＦＤＭ用に）さらに処理される。ＴＸ  ＭＩＭＯプロセッサ１１２０はＮＴ変調シンボルストリームをＮＴ送信機（ＴＭＴＲ）１１２２ａないし１１２２ｔに供給する。様々な実施態様では、ＴＸ  ＭＩＭＯプロセッサ１１２０はビームフォーミング重みをデータストリームのシンボルやシンボルを送信するアンテナに適用する。
【００７１】
各送信機１１２２は、それぞれのシンボルストリームの受信および処理をして１個以上のアナログシグナルを供給し、アナログシグナルをさらに調整（例えば、増幅、フィルタリング、逓増）してＭＩＭＯチャネルによる送信に適した変調シグナルを供給する。さらに、送信機１１２２ａ〜１１２２ｔからのＮＴ変調済みシグナルはＮＴアンテナ１１２４ａ〜１１２４ｔからそれぞれ送信される。
【００７２】
移動装置１１５０では送信された変調シグナルがＮＲアンテナ１１５２ａ〜１５５２ｒにより受信され、それぞれのアンテナ１５５２が受信したシグナルがそれぞれの受信機（ＲＣＶＲ）１５５４ａ〜１５５４ｒに供給される。個々の受信機１１５４は、それぞれのシグナルを調整（例えば、フィルタリング、増幅、逓減）し、調整されたシグナルをデジタル化してサンプルを供給し、サンプルをさらに処理して対応する「受信」シンボルストリームを供給する。
【００７３】
ＲＸデータプロセッサ１１６０は、ＮＲ受信機１１５４からのＮＲ受信シンボルストリームを受信し、特定の受信機処理技術に基づいて処理し、ＮＴ「検出」シンボルストリームを供給する。ＲＸデータプロセッサ１１６０は、検出された個々のシンボルストリームを復調し、デインターリーブし、復号化してデータストリーム毎にトラフィックデータを回復する。ＲＸデータプロセッサ１１６０による処理は、ＴＸ  ＭＩＭＯプロセッサ１１２０およびＴＸデータプロセッサ１１１４により基地局１１１０で実行される処理の補足である。
【００７４】
逆方向リンクメッセージは、通信リンクや受信信データストリームに関する様々な種類の情報から成っている。逆方向リンクメッセージは、データソース１１３６から幾つかのデータストリームに関するトラフィックデータも受信するＴＸデータプロセッサ１１３８により処理され、変調器１１８０により変調され、送信機１１５４ａ〜１１５４ｒにより調整され、基地局１１１０に返送される。
【００７５】
基地局１１１０では移動装置１１５０からの変調されたシグナルがアンテナ１１２４により受信され、受信機１１２２により調整され、復調器１１４０により復調され、ＲＸデータプロセッサ１１４２により処理されて移動装置１１５０が送信した逆方向リンクメッセージが抽出される。さらにプロセッサ１１３０が、抽出されたメッセージを処理してビームフォーミング重みを決定するためにどのプリコーディングマトリックスを用いるのかを決定する。
【００７６】
プロセッサ１１３０および１１７０は、それぞれ基地局１１１０および移動装置１１５０の操作を管理する。プロセッサ１１３０および１１７０は、プログラムコードやデータを格納しているメモリ１１３２および１１７２にそれぞれ関連付けられている。プロセッサ１１３０および１１７０は演算を実行して上りリンクおよび下りリンクの周波数およびインパルス応答推定をそれぞれ導き出す。
【００７７】
図１２は、ここに教示した事柄を実現することができて複数人のユーザをサポートするように構成されている無線通信システム１２００の例を示している。システム１２００は、例えば、対応するアクセスノード１２０４（例えば、アクセスノード１２０４Ａ〜１２０４Ｇ）によりサービスを受けているマクロセル１２０２Ａ〜１２０２Ｇのような多くのセル１２０２に通信を提供する。図１２に示されているようにアクセス端末１２０６（例えば、アクセス端末１２０６Ａ〜１２０６Ｌ）は時間と共に様々な位置に分散していく。個々のアクセス端末１２０６は、例えば、アクセス端末１２０６が稼働しているかどうかやソフトハンドオフ中であるかどうかに基づいて順方向リンク（ＦＬ：forward link）や逆方向リンク（ＲＬ：reverse link）で１個以上のアクセスノード１２０４とある瞬間に通信をする。無線通信システム１２００は広大な地域（a large geographic region）にサービスを提供する。
【００７８】
図１３は、ネットワーク環境で１個以上のフェムトノードが配置されている典型的な通信システム１３００の例である。特にシステム１３００は、（例えば、在圏ユーザ１３３０が一人以上の）比較的小規模のネットワーク環境に設置される複数のフェムトノード１３１０Ａおよび１３１０Ｂ（例えば、フェムトセルノードまたはＨ（ｅ）ＮＢ）を有している。個々のフェムトノード１３１０は、デジタル加入者線（ＤＳＬ：digital subscriber line）ルータ、ケーブルモデム、無線リンク、その他の（図示していない）接続手段により広域ネットワーク１３４０（例えば、インターネット）やモバイルオペレータコアネットワーク１３５０に接続されている。以下に説明するように個々のフェムトノード１３１０は、関係付けられているアクセス端末１３２０（例えば、アクセス端末１３２０Ａ）にはサービスを提供し、関係付けられていない他のアクセス端末１３２０（例えば、アクセス端末１３２０Ｂ）には必要に応じてサービスを提供するように構成されている。言い換えればフェムトノード１３１０へのアクセスは、一組の指定されている（例えば、ホームの）フェムトノード１３１０によるサービスであれば受けることができるが、指定されていないフェムトノード１３１０（例えば、隣のフェムトノード）によるサービスであればどれでも受けることができないようにどのアクセス端末１３２０も制限されている。
【００７９】
図１４は、幾つかの広域有効範囲１４０４を含む幾つかのトラッキング領域１４０２（またはルーティング領域または所在領域）が確定されている有効範囲図１４００を例示している。トラッキング領域１４０２Ａ、１４０２Ｂ、１４０２Ｃに関連付けられている有効範囲の領域は太い線で示されていて、広域有効範囲１４０４は六角形で示されている。トラッキング領域１４０２にはフェムト域有効範囲１４０６もある。この例では、個々のフェムト域有効範囲１４０６（例えば、フェムト域有効範囲１４０６Ｃ）は広域有効範囲１４０４（例えば、広域有効範囲１４０４Ｂ）の中に表示されている。但し、フェムト域有効範囲１４０６は広域有効範囲１４０４の中にまるまる位置しているわけではない。実際には、多数のフェムト域有効範囲１４０６が所定のトラッキング領域１４０２や広域有効範囲１４０４と共に確定されている。また、（図示されていない）ピコ域有効範囲が所定のトラッキング領域１４０２や広域有効範囲１４０４の中に１個以上定められている。
【００８０】
再び図１３を参照する。フェムトノード１３１０の所有者は、モバイルオペレータコアネットワーク１３５０を通じて提供される、例えば、第三世代移動業務のような移動業務（mobile service）を申し込むことができる。その上に、アクセス端末１３２０は大規模環境と（例えば、住宅用の）小規模ネットワーク環境の両者で稼働する。したがって、例えば、アクセス端末１３２０の現在の所在に応じて一式のフェムトノード１３１０（例えば、対応するユーザの住宅１３３０内にあるフェムトノード１３１０Ａおよび１３１０Ｂ）のどれか一つまたはアクセスノード１３６０からアクセス端末１３２０はサービスを受ける。例えば、加入者が外出している場合には標準的なマクロセルアクセスノード（例えば、ノード１３６０）からサービスを受け、在宅している場合にはフェムトノード（例えば、ノード１３１０Ａ）からサービスを受ける。ここで、フェムトノード１３１０は現存しているアクセス端末１３２０と後方互換（backward compatible）であることを理解されたい。
【００８１】
フェムトノード１３１０は、単一周波数のために配置することもできれば、複数の周波数のために配置することもできる。複数の周波数の内の１種類以上の周波数または前記の単一周波数は、特定の構成に応じて、マクロセルアクセスノード（例えば、ノード１３６０）が使用する１種類以上の周波数と重複していても構わない。ある態様では、アクセス端末１３２０は好ましいフェムトノード（例えば、アクセス端末１３２０のホームフェムトノード）に可能な限り接続するように構成されている。例えばアクセス端末１３２０は、ユーザの住宅１３３０の中にあるときはいつでもホームフェムトノード１３１０に接続される。
【００８２】
幾つかの態様では、アクセス端末１３２０がモバイルオペレータコアネットワーク１３５０内で稼働していても、（例えば、好ましいローミングリストに載っているような）最も好ましいネットワークに在圏していない場合には、アクセス端末１３２０は利用可能なシステムを周期的にスキャンしてより良いシステムが現在利用できないかどうかを判断し、その後、好ましいシステムに連携するように努めるより良いシステムの再選択（ＢＳＲ：Better System Reselection）機能を用いて最も好ましいネットワーク（例えば、フェムトノード１３１０）を探索し続ける。ある例ではアクセス端末１３２０は捕捉表項目（例えば、好ましいローミングリスト）を用いて特定の帯域やチャネルに探索を限定する。例えば、最も好ましいシステムの探索が周期的に繰り返される。フェムトノード１３１０のような好ましいフェムトノードを発見するとアクセス端末１３２０はフェムトノード１３１０を選択してその有効範囲の領域に在圏する。
【００８３】
フェムトノードが制限されている態様もある。例えば、所定のフェムトノードは特定のアクセス端末に特定のサービスを提供するだけである。いわゆる限定的（または閉鎖的）連合（association）の配備では所定のアクセス端末はマクロセルモバイルネットワークや定義されている一組のフェムトノード（例えば、対応するユーザの住宅１３３０に設けられているフェムトノード１３１０）によりサービスを受ける。幾つかの実施ではフェムトノードは、シグナリング、データアクセス、登録、ページング、サービスの少なくとも一つを少なくとも一台のアクセス端末に提供しないように制限される。
【００８４】
幾つかの態様では、限定的フェムトノード（閉鎖的加入者群のＨ（ｅ）ＮＢとしても言及される）は限定的に設けられている一組のアクセス端末にサービスを提供する。この組は、必要に応じて一時的または永続的に拡張することができる。幾つかの態様では閉鎖的加入者群（ＣＳＧ：Closed Subscriber Group）は、アクセス端末の共通アクセス制御リストを共有する一組のアクセスノード（例えば、フェムトノード）として定義される。ある領域の全フェムトノード（または全ての限定的フェムトノード）が作動するチャネルをフェムトチャネルと呼ぶことができる。
【００８５】
したがって、所定のフェムトノードと所定のアクセス端末との間には様々な関係が存在している。例えば、アクセス端末の観点からすれば開放的なフェムトノードとは限定的な結社（restricted association）のないフェムトノードを指す。限定的なフェムトノードとは何らかの方法で（例えば、加入や登録が）制限されているフェムトノードを言う。ホームフェムトノードとは、アクセスしたり稼働したりすることがアクセス端末に許されているフェムトノードを言う。ゲストフェムトノードとは、アクセスしたり稼働したりすることがアクセス端末に一時的に許されているフェムトノードを言う。圏外フェムトノードとは、緊急事態（例えば、９１１の呼び出し）を除いてアクセスしたり稼働したりすることがアクセス端末には許されていないフェムトノードを言う。
【００８６】
限定的なフェムトノードの観点からはホームアクセス端末とは限定的なフェムトノードにアクセスすることが許されているアクセス端末を言う。ゲストアクセス端末とは、限定的なフェムトノードに一時的にアクセスすることが許されているアクセス端末を言う。圏外アクセス端末とは、例えば、９１１の呼び出しのような緊急事態を除いて限定的なフェムトノードにアクセスすることが許されていないアクセス端末（例えば、限定的なフェムトノードに登録する資格または許可を有していないアクセス端末）を言う。
【００８７】
便宜上、フェムトノードとの関連でこれまでに様々な機能を説明した。しかし、ピコノードもフェムトノードと同じであるか類似しているかのいずれかの機能をより広い有効範囲で果たすことを理解されたい。例えば、ピコノードに制限を加えることもできるし、ホームピコノードを所定のアクセス端末に限定することもできる。
【００８８】
無線マルチアクセス通信システム（wireless multiple-access communication system）は複数台の無線アクセス端末のめたに通信を同時にサポートすることができる。上に述べたように個々の端末は、順方向および逆方向の両リンクによる送信で一台以上の基地局と通信をする。順方向リンク（または下りリンク）とは基地局から端末に向かう通信リンクを言い、逆方向リンク（または上りリンク）とは端末から基地局に向かう通信リンクを言う。この通信リンクは、シングルインシングルアウトシステム、ＭＩＭＯシステム、その他のなんらかのシステムにより確立することができる。
【００８９】
ここに開示した諸実施態様との関連で記載した論理、論理ブロック、モジュール、コンポーネント、回路の様々な例は、ここに記載した機能を実行するように構成されている汎用プロセッサ、デジタルシグナルプロセッサ（ＤＳＰ：digital signal processor）、特定用途向け集積回路（ＡＳＩＣ：application specific integrated circuit）、書替え可能ゲートアレイ（ＦＰＧＡ：field programmable gate array）その他の書替え可能論理装置、個別ゲートまたはトランジスタ論理回路、離散的ハードウェアコンポーネント、これらの任意な組合せで実現したり実施したりすることができる。汎用プロセッサはマイクロプロセッサで構わないが、その代わりとして汎用プロセッサは任意の通常のプロセッサ、コントローラ、マイクロプロセッサ、状態装置のいずれでも良い。プロセッサは計算装置の組合せとして実現しても良い。例えば、ＤＳＰとマイクロプロセッサとの組み合わせ、複数台のプロセッサ、コアにした一台のＤＳＰと組み合わせた一台以上のマイクロプロセッサ、その他の類似した構成で実現することができる。また少なくとも１個のプロセッサが、上に述べた工程や動作を一種類以上実行するように作動する１個以上のモジュールから成っていても構わない。プロセッサが記憶媒体から情報を読み取ったり記憶媒体に情報を書き込んだりすることができるように典型的な記憶媒体がプロセッサに連結されていても構わない。あるいは、記憶媒体はプロセッサと一体でも構わない。プロセッサと記憶媒体がＡＳＩＣに内蔵されていても良い。このＡＳＩＣが使用者の端末に内蔵されていても良い。あるいは、プロセッサと記憶媒体とが離散的コンポーネントとして使用者の端末に組み込まれていても良い。
【００９０】
１種類以上の態様で述べた諸々の機能や方法やアルゴリズムはハードウェア、ソフトウェア、ファームウェア、これらの任意の組み合わせとして実現することができる。ソフトウェアとして実現する場合には、諸機能は一つ以上の命令やコードとしてコンピュータ可読媒体に格納されるかコンピュータ可読媒体で転送されるかするが、コンピュータ可読媒体はコンピュータプログラム製品に組み込まれる。コンピュータ可読媒体にはコンピュータ記憶媒体とコンピュータプログラムを一方から他方に移すのに容易な任意の媒体を含む通信媒体とが含まれる。記憶媒体は、コンピュータがアクセスすることのできる任意の利用可能な媒体で構わない。限定ではなくて飽くまでも例としてそのような可読媒体にはＲＡＭ、ＲＯＭ、ＥＥＰＲＯＭ、ＣＤ−ＲＯＭまたはその他の光ディスク記憶装置、磁気ディスク記憶装置またはその他の磁気記憶装置が含まれる他に、所望のプログラムコード手段を命令やデータ構造の形式で保持したり記憶したりすることができてコンピュータがアクセスすることのできる任意の他の媒体が含まれる。さらに、どのような接続もコンピュータ可読媒体と実質的に呼ぶことができる。例えば、同軸ケーブル、光学繊維ケーブル、撚線対、デジタル加入者回線（ＤＳＬ）あるいは赤外線、無線、極超短波のような無線技術を用いてウェブサイト、サーバ、他の遠隔ソースからソフトウェアが送信される場合には、同軸ケーブル、光学繊維ケーブル、撚線対、ＤＳＬあるいは赤外線、無線、極超短波のような無線技術が媒体の定義に含まれる。ここで使用しているディスクには綴りが「disk」と「disc」の二種類があるが、コンパクトディスク（ＣＤ：compact disc）、レーザディスク（laser disc）、光学ディスク（optical disc）、デジタル多用途ディスク（ＤＶＤ：digital versatile disc）、フロッピー（登録商標）ディスク（floppy（登録商標） disk）、ブルーレイ（登録商標）ディスク（Blu-ray（登録商標） disc）が含まれる。ここで、「disk」と綴られるディスクは通常はデータを磁気的に再生し、「disc」と綴られるディスクは通常はデータをレーザで光学的に再生する。以上に述べたものの組み合わせもコンピュータ可読媒体の範囲に含まれる。
【００９１】
以上の開示には諸態様や諸実施態様が例示的に説明されているが、縷々説明した諸態様や諸実施態様に関して添付の特許請求の範囲に定義されている範囲から逸脱することもなく様々な変更や修正を施すことができることに注意すること。さらに、説明した諸態様や諸実施態様の諸要素は単数形で記載されていたり請求されていたりするが、単数に特定する旨が明示的に述べられていない限り複数が予期されている。さらに、特に断らない限り任意の態様や実施態様の全てまたは一部が別の任意の態様や実施態様の全てまたは一部と一緒に用いられることもあり得る。
【図１】
2013521746.tif 000003
【図２】
2013521746.tif 000004
【図３】
2013521746.tif 000005
【図４】
2013521746.tif 000006
【図５】
2013521746.tif 000007
【図６】
2013521746.tif 000008
【図７】
2013521746.tif 000009
【図８】
2013521746.tif 000010
【図９】
2013521746.tif 000011
【図１０】
2013521746.tif 000012
【図１１】
2013521746.tif 000013
【図１２】
2013521746.tif 000014
【図１３】
2013521746.tif 000015
【図１４】
2013521746.tif 000016
【国際調査報告】
2013521746.tif 000017
2013521746.tif 000018
2013521746.tif 000019